(57)【要約】  ワイヤレス通信システムにおいて、ワイヤレスデバイスをリレーデバイスであるとして識別する。少なくとも１つのチャネル状態情報基準信号（ＣＳＩ−ＲＳ）が、リレーバックホール送信に割り当てられたサブフレームのサブセット中でワイヤレスデバイスに送信され得るような、ＣＳＩ−ＲＳ構成を選択する。
2013530604.tif 000002
【特許請求の範囲】
【請求項１】
ワイヤレスデバイスをリレーデバイスであるとして識別することと、
少なくとも１つのチャネル状態情報基準信号（ＣＳＩ−ＲＳ）が、リレーバックホール送信に割り当てられたサブフレームのサブセット中で前記ワイヤレスデバイスに送信され得るような、ＣＳＩ−ＲＳ構成を選択することと
を備える、ワイヤレス通信のための方法。
【請求項２】
前記ワイヤレスデバイスのタイミングタイプを判断することと、
前記判断に基づいて、ＣＳＩ−ＲＳがその中で前記ワイヤレスデバイスに送信されるサブフレームのシンボルのサブセットにＣＳＩ−ＲＳ送信を制限することと
をさらに備える、請求項１に記載の方法。
【請求項３】
シンボルの前記サブセットが前記サブフレーム中の最後のシンボルを除外する、請求項２に記載の方法。
【請求項４】
前記ＣＳＩ−ＲＳ構成を前記選択することは、ＣＳＩ−ＲＳに割り当てられたリソース要素（ＲＥ）が、データ復調を助けるための基準信号に割り当てられたＲＥと重複しないような前記ＣＳＩ−ＲＳ構成を選択することを含む、請求項１に記載の方法。
【請求項５】
前記ＣＳＩ−ＲＳ構成を前記選択することは、ミュートされたＲＥに割り当てられたリソース要素（ＲＥ）が、データ復調を助けるための前記基準信号に割り当てられたＲＥと重複しないような前記ＣＳＩ−ＲＳ構成を選択することをさらに含む、請求項４に記載の方法。
【請求項６】
ワイヤレスデバイスをリレーデバイスであるとして識別するための手段と、
少なくとも１つのチャネル状態情報基準信号（ＣＳＩ−ＲＳ）が、リレーバックホール送信に割り当てられたサブフレームのサブセット中で前記ワイヤレスデバイスに送信され得るような、ＣＳＩ−ＲＳ構成を選択するための手段と
を備える、ワイヤレス通信のための装置。
【請求項７】
前記ワイヤレスデバイスのタイミングタイプを判断するための手段と、
前記判断に基づいて、ＣＳＩ−ＲＳがその中で前記ワイヤレスデバイスに送信されるサブフレームのシンボルのサブセットにＣＳＩ−ＲＳ送信を制限するための手段と
をさらに備える、請求項６に記載の装置。
【請求項８】
シンボルの前記サブセットが前記サブフレーム中の最後のシンボルを除外する、請求項７に記載の装置。
【請求項９】
前記ＣＳＩ−ＲＳ構成を前記選択するための手段は、ＣＳＩ−ＲＳに割り当てられたリソース要素（ＲＥ）が、データ復調を助けるための基準信号に割り当てられたＲＥと重複しないような前記ＣＳＩ−ＲＳ構成を選択するための手段を含む、請求項６に記載の装置。
【請求項１０】
前記ＣＳＩ−ＲＳ構成を前記選択するための手段は、ミュートされたＲＥに割り当てられたリソース要素（ＲＥ）が、データ復調を助けるための前記基準信号に割り当てられたＲＥと重複しないような前記ＣＳＩ−ＲＳ構成を選択するための手段をさらに含む、請求項９に記載の装置。
【請求項１１】
コンピュータ可読記憶媒体を備えるコンピュータプログラム製品であって、前記コンピュータ可読記憶媒体が、
ワイヤレスデバイスをリレーデバイスであるとして識別することをコンピュータに行わせるための命令と、
少なくとも１つのチャネル状態情報基準信号（ＣＳＩ−ＲＳ）が、リレーバックホール送信に割り当てられたサブフレームのサブセット中で前記ワイヤレスデバイスに送信され得るような、ＣＳＩ−ＲＳ構成を選択することを前記コンピュータに行わせるための命令と
を備える、コンピュータプログラム製品。
【請求項１２】
ワイヤレスデバイスをリレーデバイスであるとして識別することと、
少なくとも１つのチャネル状態情報基準信号（ＣＳＩ−ＲＳ）が、リレーバックホール送信に割り当てられたサブフレームのサブセット中で前記ワイヤレスデバイスに送信され得るような、ＣＳＩ−ＲＳ構成を選択することと
を行うように構成された、ワイヤレス通信のためのプロセッサ。
【請求項１３】
基準信号の送信を除外するサブフレームの第１のセット中でリレーノードへのダウンリンク制御チャネル送信を実行することと、
前記基準信号に割り振られたリソース要素（ＲＥ）の周りのレートマッチングによって、サブフレームの第２のセット中で前記リレーノードへのダウンリンク制御チャネル送信を実行することと
を備える、ワイヤレス通信方法。
【請求項１４】
前記基準信号がチャネル状態情報基準信号（ＣＳＩ−ＲＳ）とミュートされたＲＥとを含む、請求項１３に記載の方法。
【請求項１５】
基準信号の送信を除外するサブフレームの第１のセット中でリレーノードへのダウンリンク制御チャネル送信を実行するための手段と、
前記基準信号に割り振られたリソース要素（ＲＥ）の周りのレートマッチングによって、サブフレームの第２のセット中で前記リレーノードへのダウンリンク制御チャネル送信を実行するための手段と
を備える、ワイヤレス通信装置。
【請求項１６】
前記基準信号がチャネル状態情報基準信号（ＣＳＩ−ＲＳ）とミュートされたＲＥとを含む、請求項１５に記載の装置。
【請求項１７】
コンピュータ可読記憶媒体を備えるコンピュータプログラム製品であって、前記コンピュータ可読記憶媒体が、
基準信号の送信を除外するサブフレームの第１のセット中でリレーノードへのダウンリンク制御チャネル送信を実行することをコンピュータに行わせるための命令と、
前記基準信号に割り振られたリソース要素（ＲＥ）の周りのレートマッチングによって、サブフレームの第２のセット中で前記リレーノードへのダウンリンク制御チャネル送信を実行することを前記コンピュータに行わせるための命令と
を備える、コンピュータプログラム製品。
【請求項１８】
基準信号の送信を除外するサブフレームの第１のセット中でリレーノードへのダウンリンク制御チャネル送信を実行することと、
前記基準信号に割り振られたリソース要素（ＲＥ）の周りのレートマッチングによって、サブフレームの第２のセット中で前記リレーノードへのダウンリンク制御チャネル送信を実行することと
を行うように構成された、ワイヤレス通信のためのプロセッサ。
【請求項１９】
基準信号を送信するための第１のアンテナポートインデックスのための第１のリソースパターンを少なくとも１つのユーザ機器に割り振ることと、
前記基準信号を送信するための第２のアンテナポートインデックスのための第２のリソースパターンを少なくとも１つのリレーノードに割り振ることであって、前記第１のアンテナポートインデックスが前記第２のアンテナポートインデックスとは異なるとき、前記第２のリソースパターンが前記第１のリソースパターンと重複しない、割り振ることと
を備える、ワイヤレス通信方法。
【請求項２０】
前記基準信号がチャネル状態情報基準信号（ＣＳＩ−ＲＳ）を含む、請求項１９に記載の方法。
【請求項２１】
基準信号を送信するための第１のアンテナポートインデックスのための第１のリソースパターンを少なくとも１つのユーザ機器に割り振るための手段と、
前記基準信号を送信するための第２のアンテナポートインデックスのための第２のリソースパターンを少なくとも１つのリレーノードに割り振るための手段であって、前記第１のアンテナポートインデックスが前記第２のアンテナポートインデックスとは異なるとき、前記第２のリソースパターンが前記第１のリソースパターンと重複しない、割り振るための手段と
を備える、ワイヤレス通信装置。
【請求項２２】
前記基準信号がチャネル状態情報基準信号（ＣＳＩ−ＲＳ）を含む、請求項２１に記載の装置。
【請求項２３】
コンピュータ可読記憶媒体を備えるコンピュータプログラム製品であって、前記コンピュータ可読記憶媒体が、
基準信号を送信するための第１のアンテナポートインデックスのための第１のリソースパターンを少なくとも１つのユーザ機器に割り振ることをコンピュータに行わせるための命令と、
前記基準信号を送信するための第２のアンテナポートインデックスのための第２のリソースパターンを少なくとも１つのリレーノードに割り振ることであって、前記第１のアンテナポートインデックスが前記第２のアンテナポートインデックスとは異なるとき、前記第２のリソースパターンが前記第１のリソースパターンと重複しない、割り振ることを前記コンピュータに行わせるための命令と
を備える、コンピュータプログラム製品。
【請求項２４】
基準信号を送信するための第１のアンテナポートインデックスのための第１のリソースパターンを少なくとも１つのユーザ機器に割り振ることと、
前記基準信号を送信するための第２のアンテナポートインデックスのための第２のリソースパターンを少なくとも１つのリレーノードに割り振ることであって、前記第１のアンテナポートインデックスが前記第２のアンテナポートインデックスとは異なるとき、前記第２のリソースパターンが前記第１のリソースパターンと重複しない、割り振ることと
を行うように構成された、ワイヤレス通信のためのプロセッサ。
【請求項２５】
サブフレームの第１のセット中で干渉推定のための第１の基準信号を少なくとも１つのユーザ機器（ＵＥ）に送信することと、
サブフレームの第２のセット中で前記第１の基準信号とは異なるチャネル推定のための第２の基準信号を送信することと
を備える、ワイヤレス通信方法。
【請求項２６】
サブフレームの前記第１のセットから、前記干渉推定がその中で行われるべきサブフレームを識別する情報を前記ＵＥに与えることをさらに含む、請求項２５に記載の方法。
【請求項２７】
前記第１の基準信号が共通基準信号（ＣＲＳ）を含む、請求項２５に記載の方法。
【請求項２８】
前記第２の基準信号がチャネル状態情報基準信号（ＣＳＩ−ＲＳ）を含む、請求項２５に記載の方法。
【請求項２９】
サブフレームの第１のセット中で干渉推定のための第１の基準信号を少なくとも１つのユーザ機器（ＵＥ）に送信するための手段と、
サブフレームの第２のセット中で前記第１の基準信号とは異なるチャネル推定のための第２の基準信号を送信するための手段と
を備える、ワイヤレス通信装置。
【請求項３０】
サブフレームの前記第１のセットから、前記干渉推定がその中で行われるべきサブフレームを識別する情報を前記ＵＥに与えるための手段をさらに含む、請求項２９に記載の装置。
【請求項３１】
前記第１の基準信号が共通基準信号（ＣＲＳ）を含む、請求項２９に記載の装置。
【請求項３２】
前記第２の基準信号がチャネル状態情報基準信号（ＣＳＩ−ＲＳ）を含む、請求項２９に記載の装置。
【請求項３３】
コンピュータ可読記憶媒体を備えるコンピュータプログラム製品であって、前記コンピュータ可読記憶媒体が、
サブフレームの第１のセット中で干渉推定のための第１の基準信号を少なくとも１つのユーザ機器（ＵＥ）に送信することをコンピュータに行わせるための命令と、
サブフレームの第２のセット中で前記第１の基準信号とは異なるチャネル推定のための第２の基準信号を送信することを前記コンピュータに行わせるための命令と
を備える、コンピュータプログラム製品。
【請求項３４】
サブフレームの第１のセット中で干渉推定のための第１の基準信号を少なくとも１つのユーザ機器（ＵＥ）に送信することと、
サブフレームの第２のセット中で前記第１の基準信号とは異なるチャネル推定のための第２の基準信号を送信することと
を行うように構成された、ワイヤレス通信のためのプロセッサ。
【請求項３５】
ワイヤレスデバイスをリレーデバイスであるとして識別するメッセージを送信することと、
少なくとも１つのチャネル状態情報基準信号（ＣＳＩ−ＲＳ）がリレーバックホール送信に割り当てられたサブフレームのサブセット中で受信されるようなＣＳＩ−ＲＳ構成において、ＣＳＩ−ＲＳを受信することと
を備える、ワイヤレス通信方法。
【請求項３６】
前記ワイヤレスデバイスのタイミングタイプを識別するメッセージを送信することと、
ＣＳＩ−ＲＳ送信をサブフレーム中で受信することであって、前記サブフレーム中の前記ＣＳＩ−ＲＳ送信がシンボルのサブセットに制限される、受信することと
をさらに備える、請求項３５に記載の方法。
【請求項３７】
シンボルの前記サブセットが前記サブフレーム中の最後のシンボルを除外する、請求項３６に記載の方法。
【請求項３８】
前記ＣＳＩ−ＲＳ構成が、データ復調を助けるための基準信号に割り当てられたリソース要素（ＲＥ）と重複しない、ＣＳＩ−ＲＳに割り当てられたＲＥを含む、請求項３５に記載の方法。
【請求項３９】
前記ＣＳＩ−ＲＳ構成が、データ復調を助けるための前記基準信号に割り当てられたリソース要素（ＲＥ）と重複しない、ミュートされたＲＥに割り当てられたＲＥを含む、請求項３８に記載の方法。
【請求項４０】
ワイヤレスデバイスをリレーデバイスであるとして識別するメッセージを送信するための手段と、
少なくとも１つのチャネル状態情報基準信号（ＣＳＩ−ＲＳ）がリレーバックホール送信に割り当てられたサブフレームのサブセット中で受信されるようなＣＳＩ−ＲＳ構成において、ＣＳＩ−ＲＳを受信するための手段と
を備える、ワイヤレス通信装置。
【請求項４１】
前記ワイヤレスデバイスのタイミングタイプを識別するメッセージを送信するための手段と、
ＣＳＩ−ＲＳ送信をサブフレーム中で受信する手段であって、前記サブフレーム中の前記ＣＳＩ−ＲＳ送信がシンボルのサブセットに制限される、受信するための手段と
をさらに備える、請求項４０に記載の装置。
【請求項４２】
シンボルの前記サブセットが前記サブフレーム中の最後のシンボルを除外する、請求項４１に記載の装置。
【請求項４３】
前記ＣＳＩ−ＲＳ構成が、データ復調を助けるための基準信号に割り当てられたリソース要素（ＲＥ）と重複しない、ＣＳＩ−ＲＳに割り当てられたＲＥを含む、請求項４０に記載の装置。
【請求項４４】
前記ＣＳＩ−ＲＳ構成が、データ復調を助けるための前記基準信号に割り当てられたリソース要素（ＲＥ）と重複しない、ミュートされたＲＥに割り当てられたＲＥを含む、請求項４３に記載の装置。
【請求項４５】
コンピュータ可読記憶媒体を備えるコンピュータプログラム製品であって、前記コンピュータ可読記憶媒体が、
ワイヤレスデバイスをリレーデバイスであるとして識別するメッセージを送信することをコンピュータに行わせるための命令と、
少なくとも１つのチャネル状態情報基準信号（ＣＳＩ−ＲＳ）がリレーバックホール送信に割り当てられたサブフレームのサブセット中で受信されるようなＣＳＩ−ＲＳ構成において、ＣＳＩ−ＲＳを受信することを前記コンピュータに行わせるための命令と
を備える、コンピュータプログラム製品。
【請求項４６】
ワイヤレスデバイスをリレーデバイスであるとして識別するメッセージを送信することと、
少なくとも１つのチャネル状態情報基準信号（ＣＳＩ−ＲＳ）がリレーバックホール送信に割り当てられたサブフレームのサブセット中で受信されるようなＣＳＩ−ＲＳ構成において、ＣＳＩ−ＲＳを受信することと
を行うように構成された、ワイヤレス通信のためのプロセッサ。
【請求項４７】
基準信号の送信を除外するサブフレームの第１のセット中でダウンリンク制御チャネル送信を受信することと、
前記基準信号に割り振られたリソース要素（ＲＥ）の周りのレートマッチングによって、サブフレームの第２のセット中でのダウンリンク制御チャネル送信を受信することと
を備える、ワイヤレス通信方法。
【請求項４８】
前記基準信号がチャネル状態情報基準信号（ＣＳＩ−ＲＳ）とミュートされたＲＥとを含む、請求項４７に記載の方法。
【請求項４９】
基準信号の送信を除外するサブフレームの第１のセット中でダウンリンク制御チャネル送信を受信するための手段と、
前記基準信号に割り振られたリソース要素（ＲＥ）の周りのレートマッチングによって、サブフレームの第２のセット中でのダウンリンク制御チャネル送信を受信するための手段と
を備える、ワイヤレス通信装置。
【請求項５０】
前記基準信号がチャネル状態情報基準信号（ＣＳＩ−ＲＳ）とミュートされたＲＥとを含む、請求項４９に記載の装置。
【請求項５１】
コンピュータ可読記憶媒体を備えるコンピュータプログラム製品であって、前記コンピュータ可読記憶媒体が、
基準信号の送信を除外するサブフレームの第１のセット中でダウンリンク制御チャネル送信を受信することをコンピュータに行わせるための命令と、
前記基準信号に割り振られたリソース要素（ＲＥ）の周りのレートマッチングによって、サブフレームの第２のセット中でのダウンリンク制御チャネル送信を受信することを前記コンピュータに行わせるための命令と
を備える、コンピュータプログラム製品。
【請求項５２】
基準信号の送信を除外するサブフレームの第１のセット中でダウンリンク制御チャネル送信を受信することと、
前記基準信号に割り振られたリソース要素（ＲＥ）の周りのレートマッチングによって、サブフレームの第２のセット中でのダウンリンク制御チャネル送信を受信することと
を行うように構成された、ワイヤレス通信のためのプロセッサ。
【請求項５３】
サブフレームの第１のセット中で干渉推定のための第１の基準信号を受信することと、
サブフレームの第２のセット中で前記第１の基準信号とは異なるチャネル推定のための第２の基準信号を受信することと
を備える、ワイヤレス通信方法。
【請求項５４】
サブフレームの前記第１のセットから、前記干渉推定がその中で行われるべきサブフレームを識別する情報を受信することをさらに含む、請求項５３に記載の方法。
【請求項５５】
前記第１の基準信号が共通基準信号（ＣＲＳ）を含む、請求項５３に記載の方法。
【請求項５６】
前記第２の基準信号がチャネル状態情報基準信号（ＣＳＩ−ＲＳ）を含む、請求項５３に記載の方法。
【請求項５７】
サブフレームの第１のセット中で干渉推定のための第１の基準信号を受信するための手段と、
サブフレームの第２のセット中で前記第１の基準信号とは異なるチャネル推定のための第２の基準信号を受信するための手段と
を備える、ワイヤレス通信装置。
【請求項５８】
サブフレームの前記第１のセットから、前記干渉推定がその中で行われるべきサブフレームを識別する情報を受信するための手段をさらに含む、請求項５７に記載の装置。
【請求項５９】
前記第１の基準信号が共通基準信号（ＣＲＳ）を含む、請求項５７に記載の装置。
【請求項６０】
前記第２の基準信号がチャネル状態情報基準信号（ＣＳＩ−ＲＳ）を含む、請求項５７に記載の装置。
【請求項６１】
コンピュータ可読記憶媒体を備えるコンピュータプログラム製品であって、前記コンピュータ可読記憶媒体が、
サブフレームの第１のセット中で干渉推定のための第１の基準信号を受信することをコンピュータに行わせるための命令と、
サブフレームの第２のセット中で前記第１の基準信号とは異なるチャネル推定のための第２の基準信号を受信することを前記コンピュータに行わせるための命令と
を備える、コンピュータプログラム製品。
【請求項６２】
サブフレームの第１のセット中で干渉推定のための第１の基準信号を受信することと、
サブフレームの第２のセット中で前記第１の基準信号とは異なるチャネル推定のための第２の基準信号を受信することと
を行うように構成された、ワイヤレス通信のためのプロセッサ。
【請求項６３】
前記第１の基準信号が共通基準信号（ＣＲＳ）を含み、前記第２の基準信号がチャネル状態情報基準信号（ＣＳＩ−ＲＳ）を含む、請求項６２に記載のプロセッサ。
【請求項６４】
ワイヤレスデバイスをリレーデバイスであるとして識別するメッセージを送信することと、
チャネル状態情報基準信号（ＣＳＩ−ＲＳ）がその中で受信されるすべてのサブフレームが前記リレーデバイスのためのアクセスサブフレーム中にあるような、ＣＳＩ−ＲＳリソースパターンを選択することと
を備える、ワイヤレス通信方法。
【請求項６５】
ワイヤレスデバイスをリレーデバイスであるとして識別するメッセージを送信するための手段と、
チャネル状態情報基準信号（ＣＳＩ−ＲＳ）がその中で受信されるすべてのサブフレームが前記リレーデバイスのためのアクセスサブフレーム中にあるような、ＣＳＩ−ＲＳリソースパターンを選択するための手段と
を備える、ワイヤレス通信装置。
【請求項６６】
コンピュータ可読記憶媒体を備えるコンピュータプログラム製品であって、前記コンピュータ可読記憶媒体が、
ワイヤレスデバイスをリレーデバイスであるとして識別するメッセージを送信することをコンピュータに行わせるための命令と、
チャネル状態情報基準信号（ＣＳＩ−ＲＳ）がその中で受信されるすべてのサブフレームが前記リレーデバイスのためのアクセスサブフレーム中にあるような、ＣＳＩ−ＲＳリソースパターンを選択することを前記コンピュータに行わせるための命令と
を備える、コンピュータプログラム製品。
【請求項６７】
ワイヤレスデバイスをリレーデバイスであるとして識別するメッセージを送信することと、
チャネル状態情報基準信号（ＣＳＩ−ＲＳ）がその中で受信されるすべてのサブフレームが前記リレーデバイスのためのアクセスサブフレーム中にあるような、ＣＳＩ−ＲＳリソースパターンを選択することと
を行うように構成された、ワイヤレス通信のためのプロセッサ。
【発明の詳細な説明】
【技術分野】
【０００１】
関連出願の相互参照
本出願は、その全体が参照により本明細書に組み込まれる、２０１０年５月４日に出願された「CHANNEL STATE INFORMATION REFERENCE SIGNALS」と題する米国仮特許出願第６１／３３１，３４６号の優先権の利益を主張する。
【０００２】
以下の説明は、一般にワイヤレス通信に関し、より詳細には、限定はしないが、ワイヤレス通信システムにおけるチャネル状態情報基準信号を使用することに関する。
【背景技術】
【０００３】
ワイヤレス通信システムは、ボイス、データなど、様々なタイプの通信コンテンツを提供するために広く展開されている。これらのシステムは、利用可能なシステムリソース（たとえば、帯域幅および送信電力）を共有することによって複数の端末との通信をサポートすることが可能な多元接続システムであり得る。各端末は、順方向リンクおよび逆方向リンク上での送信によって１つまたは複数の基地局と通信する。順方向リンク（またはダウンリンク）は基地局から端末への通信リンクを指し、逆方向リンク（またはアップリンク）は端末から基地局への通信リンクを指す。この通信リンクは、単入力単出力、多入力単出力または多入力多出力（ＭＩＭＯ）システムを介して確立され得る。
【０００４】
ＭＩＭＯシステムは、データ伝送のために複数（ＮT）個の送信アンテナと複数（ＮR）個の受信アンテナとを採用する。ＮT個の送信アンテナおよびＮR個の受信アンテナによって形成されたＭＩＭＯチャネルは、空間チャネルとも呼ばれるＮS個の独立チャネルに分解され得、ここで、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善された性能（たとえば、より高いスループットおよび／またはより大きい信頼性）を与えることができる。
【０００５】
ワイヤレスネットワークはまた、潜在的に費用のかかるワイヤードバックホールリンクの必要なしにワイヤレスネットワークのカバレージと容量とを改善することができるリレーを含み得る。リレーは、上流局（たとえば、基地局）から信号を受信し、受信した信号を処理して、信号中で送られたデータを復元し、復元されたデータに基づいてリレー信号を生成し、リレー信号を下流局（たとえば、ユーザ機器（ＵＥ））に送信し得る「デコードアンドフォワード」局であり得る。リレーは、バックホールリンク上で基地局と通信し得、基地局にはＵＥのように見え得る。リレーはまた、アクセスリンク上で１つまたは複数のＵＥと通信し得、（１つまたは複数の）ＵＥには基地局のように見え得る。リレーは、同じ周波数チャネル上で同時に送信と受信とを行うことができない半二重リレーであり得る。したがって、バックホールリンクとアクセスリンクとは時分割多重化され得る。
【０００６】
さらに、基地局、リレーデバイスまたはＵＥは、ワイヤレスシステムの性能を維持または改善するために基準信号を送信することができる。基準信号は、一般に、受信機にアプリオリに知られる信号である。受信デバイスは、基準信号を受信し得、受信した基準信号に基づいて、いくつかの動作パラメータを改変するか、またはワイヤレス通信のいくつかの動作パラメータを改変するためのフィードバックを生成し得る。受信デバイスはまた、チャネル伝達関数および干渉など、いくつかの動作パラメータを測定または推定し得る。
【発明の概要】
【０００７】
本開示で提供されるシステムおよび方法は、上記で説明した必要などを満たす。手短に一般的に言えば、開示する設計は、一態様では、チャネル状態情報基準信号（ＣＳＩ−ＲＳ：channel state information reference signal）を使用するための方法および装置を提供する。別の態様では、開示する設計は、チャネル推定および干渉推定のための基準信号を使用するための方法および装置を提供する。
【０００８】
一態様では、ワイヤレス通信システムにおいて実装される方法が、ワイヤレスデバイスをリレーデバイスであるとして識別することと、少なくとも１つのチャネル状態情報基準信号（ＣＳＩ−ＲＳ）が、リレーバックホール送信に割り当てられたサブフレームのサブセット中でワイヤレスデバイスに送信され得るような、ＣＳＩ−ＲＳ構成を選択することとを備える。
【０００９】
別の態様では、ワイヤレス通信において動作可能な装置が、ワイヤレスデバイスをリレーデバイスであるとして識別するための手段と、少なくとも１つのチャネル状態情報基準信号（ＣＳＩ−ＲＳ）が、リレーバックホール送信に割り当てられたサブフレームのサブセット中でワイヤレスデバイスに送信され得るような、ＣＳＩ−ＲＳ構成を選択するための手段とを備える。
【００１０】
さらに別の態様では、コンピュータ実行可能命令を記憶するコンピュータ可読記憶媒体を備えるコンピュータプログラム製品が開示される。命令は、ワイヤレスデバイスをリレーデバイスであるとして識別することと、少なくとも１つのチャネル状態情報基準信号（ＣＳＩ−ＲＳ）が、リレーバックホール送信に割り当てられたサブフレームのサブセット中でワイヤレスデバイスに送信され得るような、ＣＳＩ−ＲＳ構成を選択することとを行うためのコードを含み得る。
【００１１】
さらに別の態様では、ワイヤレス通信のためのプロセッサが開示される。プロセッサは、ワイヤレスデバイスをリレーデバイスであるとして識別することと、少なくとも１つのチャネル状態情報基準信号（ＣＳＩ−ＲＳ）が、リレーバックホール送信に割り当てられたサブフレームのサブセット中でワイヤレスデバイスに送信され得るような、ＣＳＩ−ＲＳ構成を選択することとを行うように構成され得る。
【００１２】
上記および関連する目的を達成するために、１つまたは複数の態様は、以下で十分に説明し、特に特許請求の範囲で指摘する特徴を備える。以下の説明および添付の図面は、いくつかの例示的な態様を詳細に記載し、本態様の原理が使用され得る様々な方法のほんのいくつかを示すものである。他の利点および新規の特徴は、以下の詳細な説明を図面とともに検討すれば明らかになり、開示する態様は、すべてのそのような態様およびそれらの均等物を含むものとする。
【００１３】
本開示の特徴、性質、および利点は、全体を通じて同様の参照符号が同様のものを指す図面とともに、以下に記載する詳細な説明を読めばより明らかになろう。
【図面の簡単な説明】
【００１４】
【図１】一設計による多元接続ワイヤレス通信システムを示す図。
【図２】通信システムのブロック図。
【図３】ワイヤレス通信システムにおける２つの隣接するリソースブロックのためのリソースパターンのブロック図。
【図４】ワイヤレス通信システムにおいて使用されるリソースブロックのブロック図。
【図５】ワイヤレス通信システムにおける２つの隣接するリソースブロックのためのリソースパターンのブロック図。
【図６】ワイヤレス通信システムにおいて使用されるリソースブロックのブロック図。
【図７】ワイヤレス通信システムにおいて使用されるリソースブロックのブロック図。
【図８】ワイヤレス通信システムにおいて使用されるリソースブロックのブロック図。
【図９】ワイヤレス通信システムにおける２つの隣接するリソースブロックのためのリソースパターンのブロック図。
【図１０】ワイヤレス通信システムにおいて使用されるリソースブロックのブロック図。
【図１１】ワイヤレス通信システムにおける２つの隣接するリソースブロックのためのリソースパターンのブロック図。
【図１２Ａ】ワイヤレス通信システムにおいて使用されるリソースブロックのブロック図。
【図１２Ｂ】ワイヤレス通信システムにおける２つの隣接するリソースブロックのためのリソースパターンのブロック図。
【図１３】マクロセルとピコセルとの間の送信サブフレーム多重化のブロック図。
【図１４】ワイヤレス通信のためのプロセスのフローチャート。
【図１５】ワイヤレス通信装置の一部分のブロック図。
【図１６】ワイヤレス通信のためのプロセスのフローチャート。
【図１７】ワイヤレス通信装置の一部分のブロック図。
【図１８】ワイヤレス通信のためのプロセスのフローチャート。
【図１９】ワイヤレス通信装置の一部分のブロック図。
【図２０】ワイヤレス通信のためのプロセスのフローチャート。
【図２１】ワイヤレス通信装置の一部分のブロック図。
【図２２】ワイヤレス通信のためのプロセスのフローチャート。
【図２３】ワイヤレス通信装置の一部分のブロック図。
【図２４】ワイヤレス通信のためのプロセスのフローチャート。
【図２５】ワイヤレス通信装置の一部分のブロック図。
【図２６】ワイヤレス通信のためのプロセスのフローチャート。
【図２７】ワイヤレス通信装置の一部分のブロック図。
【図２８】ワイヤレス通信のためのプロセスのフローチャート。
【図２９】ワイヤレス通信装置の一部分のブロック図。
【図３０】ワイヤレス通信環境においてチャネル状態情報基準信号を利用するためのシステムを示す図。
【図３１】ワイヤレス通信環境においてチャネル状態情報基準信号を送信するための方法を示す図。
【図３２】ワイヤレス通信環境においてチャネル状態情報基準信号を受信するための方法を示す図。
【図３３】ワイヤレス通信ネットワークを示す図。
【図３４】基地局とＵＥとの間のリレーを介した通信を示す図。
【図３５】基地局、リレー、およびＵＥのブロック図。
【発明を実施するための形態】
【００１５】
次に、図面を参照しながら様々な態様について説明する。以下の記述では、説明の目的で、１つまたは複数の態様の完全な理解を与えるために多数の具体的な詳細を記載する。ただし、様々な態様は、これらの具体的な詳細なしに実施され得ることは明白であろう。他の例では、これらの態様の説明を円滑にするために、よく知られている構造およびデバイスをブロック図の形態で示す。
【００１６】
本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど、様々なワイヤレス通信ネットワークに対して使用され得る。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、広帯域ＣＤＭＡ（Ｗ−ＣＤＭＡ）および低チップレート（ＬＣＲ）を含む。ｃｄｍａ２０００は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）などの無線技術を実装し得る。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装し得る。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。Ｌｏｎｇ  Ｔｅｒｍ  Ｅｖｏｌｕｔｉｏｎ（ＬＴＥ）は、Ｅ−ＵＴＲＡを使用するＵＭＴＳの今度のリリースである。ＵＴＲＡ、Ｅ−ＵＴＲＡ、ＧＳＭ、ＵＭＴＳおよびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されている。ｃｄｍａ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。明快のために、本技法のいくつかの態様について以下ではＬＴＥに関して説明し、以下の説明の大部分でＬＴＥ用語を使用する。
【００１７】
シングルキャリア周波数分割多元接続（ＳＣ−ＦＤＭＡ）は、シングルキャリア変調および周波数領域等化を利用する。ＳＣ−ＦＤＭＡ信号は、それの固有のシングルキャリア構造のために、より低いピーク対平均電力比（ＰＡＰＲ：peak-to-average power ratio）を有する。ＳＣ−ＦＤＭＡは、特に、より低いＰＡＰＲが送信電力効率の点でモバイル端末に多大な利益を与えるアップリンク通信において大きい注目を引いている。それは、ＬＴＥにおけるアップリンク多元接続方式のために使用される。
【００１８】
明快のために、以下の主題については、ＬＴＥにおいて使用されるいくつかの信号およびメッセージフォーマットの具体的な例に関して、ならびにチャネル状態情報基準信号（ＣＳＩ−ＲＳ）およびミュート技術に関して説明することに留意されたい。ただし、当業者ならば、他の通信システムおよび他の基準信号送信／受信技術への開示した本技法の適用性を諒解されよう。
【００１９】
さらに、図３〜図１１には、リソースブロックマップ技法を使用して、アンテナポートと送信リソース割当てとの様々な組合せが示されており、そこには、水平方向に沿ったシンボル（または時間）と垂直方向に沿った周波数（またはサブキャリアインデックス）とを用いて送信リソースブロック（ＲＢ：resource block）中の利用可能なリソースの２次元プロットが示されている。さらに、明快のために、図示された各ＲＢ中のリソース要素（ＲＥ：resource element）は、単にアンテナの論理グルーピングを表す対応するアンテナポートグループ／アンテナインデックスで標示されている。ただし、アルファベットシーケンスおよび数を使用した列挙は、説明を明快にするためのものにすぎず、デバイス上の実際のアンテナ構成との関係を持っていても持っていなくてもよいことを理解されたい。
【００２０】
図１に、ＬＴＥシステムまたは何らかの他のシステムであり得る、ワイヤレス通信システム１００を示す。システム１００は、いくつかの発展型ノードＢ（ｅＮＢ）１１０および他のネットワークエンティティを含み得る。ｅＮＢは、ＵＥと通信するエンティティであり得、基地局、ノードＢ、アクセスポイントなどと呼ばれることもある。各ｅＮＢ１１０は、特定の地理的エリアに対して通信カバレージを提供し得、カバレージエリア内に位置するＵＥのための通信をサポートし得る。容量を改善するために、ｅＮＢの全体的なカバレージエリアは複数（たとえば、３つ）のより小さいエリアに区分され得る。より小さいエリアの各々は、それぞれのｅＮＢサブシステムによってサービスされ得る。３ＧＰＰでは、「セル」という用語は、このカバレージエリアをサービスしているｅＮＢ１１０および／またはｅＮＢサブシステムの最小カバレージエリアを指すことがある。
【００２１】
ＵＥ１２０はシステム全体に分散され得、各ＵＥ１２０は固定またはモバイルであり得る。ＵＥは、移動局、端末、アクセス端末、加入者ユニット、局などと呼ばれることもある。ＵＥ１２０は、セルラー電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、スマートフォン、ネットブック、スマートブック、タブレットなどであり得る。
【００２２】
ＬＴＥは、ダウンリンク上では直交周波数分割多重化（ＯＦＤＭ）を利用し、アップリンク上ではシングルキャリア周波数分割多重化（ＳＣ−ＦＤＭ）を利用する。ＯＦＤＭおよびＳＣ−ＦＤＭは、周波数レンジを、一般にトーン、ビンなどとも呼ばれる複数（Ｋs個）の直交サブキャリアに分割する。各サブキャリアはデータで変調され得る。一般に、変調シンボルは、ＯＦＤＭでは周波数領域で、ＳＣ−ＦＤＭでは時間領域で送られる。隣接するサブキャリア間の間隔は固定であり得、サブキャリアの総数（Ｋs）はシステム帯域幅に依存し得る。たとえば、Ｋsは、１．２５、２．５、５、１０、または２０メガヘルツ（ＭＨｚ）のシステム帯域幅に対してそれぞれ１２８、２５６、５１２、１０２４または２０４８に等しくなり得る。システム帯域幅はＫs個の全サブキャリアのサブセットに対応し得る。
【００２３】
図２に、図１のｅＮＢのうちの１つであり得る例示的な基地局／ｅＮＢ１１０、および図１のＵＥのうちの１つであり得るＵＥ１２０のブロック図を示す。ＵＥ１２０はＴ個のアンテナ１２３４ａ〜１２３４ｔを装備し得、基地局１１０はＲ個のアンテナ１２５２ａ〜１２５２ｒを装備し得、一般にＴ≧１およびＲ≧１である。
【００２４】
ＵＥ１２０において、送信プロセッサ１２２０は、データソース１２１２からデータを受信し、コントローラ／プロセッサ１２４０から制御情報を受信し得る。送信プロセッサ１２２０は、データと制御情報とを処理（たとえば、符号化、インターリーブ、およびシンボルマッピング）し得、それぞれデータシンボルと制御シンボルとを与え得る。送信プロセッサ１２２０はまた、ＵＥ１２０に割り当てられた１つまたは複数のＲＳシーケンスに基づいて複数の不連続クラスタのための１つまたは複数の復調基準信号を生成し得、基準シンボルを与え得る。送信（ＴＸ）多入力多出力（ＭＩＭＯ）プロセッサ１２３０は、適用可能な場合、送信プロセッサ１２２０からのデータシンボル、制御シンボル、および／または基準シンボルに対して空間処理（たとえば、プリコーディング）を実行し得、Ｔ個の出力シンボルストリームをＴ個の変調器（ＭＯＤ）１２３２ａ〜１２３２ｔに与え得る。各変調器１２３２は、（たとえば、ＳＣ−ＦＤＭＡ、ＯＦＤＭなどのために）それぞれの出力シンボルストリームを処理して出力サンプルストリームを取得し得る。各変調器１２３２は、さらに出力サンプルストリームを処理（たとえば、アナログ変換、増幅、フィルタ処理、およびアップコンバート）してアップリンク信号を取得し得る。変調器１２３２ａ〜１２３２ｔからのＴ個のアップリンク信号は、それぞれＴ個のアンテナ１２３４ａ〜１２３４ｔを介して送信され得る。
【００２５】
基地局１１０において、アンテナ１２５２ａ〜１２５２ｒは、ＵＥ１２０からアップリンク信号を受信し、受信信号をそれぞれ復調器（ＤＥＭＯＤ）１２５４ａ〜１２５４ｒに与え得る。各復調器１２５４は、それぞれの受信信号を調整（たとえば、フィルタ処理、増幅、ダウンコンバート、およびデジタル化）して受信サンプルを取得し得る。各復調器１２５４は、さらに受信サンプルを処理して受信シンボルを取得し得る。チャネルプロセッサ／ＭＩＭＯ検出器１２５６は、すべてのＲ個の復調器１２５４ａ〜１２５４ｒから受信シンボルを取得し得る。チャネルプロセッサ１２５６は、ＵＥ１２０から受信された復調基準信号に基づいて、ＵＥ１２０から基地局１１０へのワイヤレスチャネルのチャネル推定値を導出し得る。ＭＩＭＯ検出器１２５６は、チャネル推定値に基づいて受信シンボルに対してＭＩＭＯ検出／復調を実行し得、検出されたシンボルを与え得る。受信プロセッサ１２５８は、検出されたシンボルを処理（たとえば、シンボルデマッピング、デインターリーブ、および復号）し、復号されたデータをデータシンク１２６０に与え、復号された制御情報をコントローラ／プロセッサ１２８０に与え得る。
【００２６】
ダウンリンク上では、基地局１１０において、データソース１２６２からのデータと、コントローラ／プロセッサ１２８０からの制御情報とは、送信プロセッサ１２６４によって処理され、適用可能な場合はＴＸ  ＭＩＭＯプロセッサ１２６６によってプリコードされ、変調器１２５４ａ〜１２５４ｒによって調整され、ＵＥ１２０に送信され得る。ＵＥ１２０において、基地局１１０からのダウンリンク信号は、アンテナ１２３４によって受信され、復調器１２３２によって調整され、チャネル推定器／ＭＩＭＯ検出器１２３６によって処理され、受信プロセッサ１２３８によってさらに処理されて、ＵＥ１２０に送られたデータおよび制御情報を取得し得る。プロセッサ１２３８は、復号されたデータをデータシンク１２３９に与え、復号された制御情報をコントローラ／プロセッサ１２４０に与え得る。
【００２７】
コントローラ／プロセッサ１２４０および１２８０は、それぞれＵＥ１２０および基地局１１０における動作を指示し得る。ＵＥ１２０におけるプロセッサ１２２０、プロセッサ１２４０、および／または他のプロセッサおよびモジュールは、図２２のプロセス２２００または図２４のプロセス２４００および／または本明細書で説明する技法のための他のプロセスを実行または指示し得る。基地局１１０におけるプロセッサ１２５６、プロセッサ１２８０、および／または他のプロセッサおよびモジュールは、図１４、図１６、図１８または図２０のプロセス１４００、１６００、１８００または２０００および／または本明細書で説明する技法のための他のプロセスを実行または指示し得る。メモリ１２４２および１２８２は、それぞれＵＥ１２０および基地局１１０のためのデータおよびプログラムコードを記憶し得る。スケジューラ１２８４は、ダウンリンクおよび／またはアップリンク送信についてＵＥをスケジュールし得、スケジュールされたＵＥのためのリソースの割振り（たとえば、複数の不連続クラスタ、復調基準信号のためのＲＳシーケンスの割当てなど）を行い得る。
【００２８】
図３３に、ＬＴＥネットワークまたは何らかの他のワイヤレスネットワークであり得る、ワイヤレス通信ネットワーク３３００を示す。ワイヤレスネットワーク３３００は、（前に説明したｅＮＢ１１０と態様において同様であり得る）いくつかのｅＮＢと、リレーと、いくつかのＵＥのための通信をサポートすることができる他のネットワークエンティティとを含み得る。ｅＮＢは、ＵＥと通信するエンティティであり得、基地局、ノードＢ、アクセスポイントなどと呼ばれることもある。ｅＮＢは、特定の地理的エリアに通信カバレージを提供し得る。３ＧＰＰでは、「セル」という用語は、この用語が使用されるコンテキストに応じて、ｅＮＢのカバレージエリアおよび／またはこのカバレージエリアをサービスしているｅＮＢサブシステムを指すことがある。ｅＮＢは、１つまたは複数の（たとえば、３つの）セルをサポートし得る。
【００２９】
ｅＮＢは、マクロセル、ピコセル、フェムトセル、および／または他のタイプのセルに通信カバレージを提供し得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ：Closed Subscriber Group）中のＵＥ）による制限付きアクセスを可能にし得る。図３３に示す例では、ワイヤレスネットワーク３３００は、マクロセル１０２のためのマクロｅＮＢ３３１０と、ピコセル３３０４のためのピコｅＮＢ３３１２と、フェムトセル３３０６のためのホームｅＮＢ（ＨｅＮＢ）３３１４とを含む。これらのｅＮＢは、以下で詳細に説明するｅＮＢ１１０と態様において同様であり得る。ネットワークコントローラ３３４０は、ｅＮＢのセットに結合され得、これらのｅＮＢの調整および制御を行い得る。
【００３０】
リレーは、上流局（たとえば、ｅＮＢまたはＵＥ）からデータおよび／または他の情報の送信を受信し、そのデータおよび／または他の情報の送信を下流局（たとえば、ＵＥまたはｅＮＢ）に送るエンティティであり得る。リレーは、リレー局、リレーｅＮＢなどと呼ばれることもある。リレーはまた、他のＵＥに対する送信を中継するＵＥであり得る。図３３では、リレー３３２０ａ、３３２０ｂおよび３３２０ｃは、ｅＮＢとＵＥとの間の通信を可能にするためにｅＮＢ３３１０およびＵＥ３３３０ａ、３３３０ｂ、３３３０ｃおよび３３３０ｄと通信し得る。いくつかの態様では、ＵＥ３３３０ａ、３３３０ｂ、３３３０ｃおよび３３３０ｄは、図１および図２に関して前に説明したＵＥ１２０と同様であり得る。
【００３１】
ＵＥ３３３０はワイヤレスネットワーク全体に分散され得、各ＵＥは固定またはモバイルであり得る。ＵＥは、端末、アクセス端末、移動局、加入者ユニット、局などと呼ばれることもある。ＵＥは、セルラー電話、携帯情報端末（ＰＤＡ）、ワイヤレスモデム、ワイヤレス通信デバイス、ハンドヘルドデバイス、ラップトップコンピュータ、ワイヤレスローカルループ（ＷＬＬ）局、スマートフォン、ネットブック、スマートブック、タブレットなどであり得る。ＵＥは、ｅＮＢ、リレー、他のＵＥなどと通信することが可能であり得る。
【００３２】
図３４に、マクロｅＮＢ３４１０とＵＥ３４３０ａとの間のリレー３４２０ａを介した通信を示す。リレー３４２０ａは、バックホールリンクを介してマクロｅＮＢ３４１０と通信し得、アクセスリンクを介してＵＥ３４３０ａと通信し得る。バックホールリンク上で、リレー３４２０ａは、バックホールダウンリンクを介してｅＮＢ３４１０からダウンリンク送信を受信し得、バックホールアップリンクを介してｅＮＢ３４１０にアップリンク送信を送り得る。アクセスリンク上で、リレー３４２０ａは、アクセスダウンリンクを介してＵＥ３４３０ａにダウンリンク送信を送り得、アクセスアップリンクを介してＵＥ３４３０ａからアップリンク送信を受信し得る。ｅＮＢ３４１０は、リレー３４２０ａのためのドナーｅＮＢと呼ばれることがある。
【００３３】
図３４はまた、マクロｅＮＢ３４１０とＵＥ３４３０ｇとの間の直接通信を示している。ｅＮＢ３４１０は、ワイドエリアネットワーク（ＷＡＮ）ダウンリンクを介してＵＥ３４３０ｇにダウンリンク送信を送り得、ＷＡＮアップリンクを介してＵＥ３４３０ｇからアップリンク送信を受信し得る。
【００３４】
ワイヤレスネットワークは、周波数分割複信（ＦＤＤ）または時分割複信（ＴＤＤ）を利用し得る。ＦＤＤの場合、ダウンリンクとアップリンクとには別々の周波数チャネルが割り振られる。ダウンリンク送信とアップリンク送信とは２つの周波数チャネル上で同時に送られ得る。ＴＤＤの場合、ダウンリンクとアップリンクとは同じ周波数チャネルを共有する。ダウンリンク送信とアップリンク送信とは異なる時間間隔中に同じ周波数チャネル上で送られ得る。
【００３５】
図３５に、基地局／ｅＮＢ３５１０と、図３３のリレーのうちの１つであり得るリレー３５２０と、図３３のＵＥのうちの１つであり得るＵＥ３５３０とのブロック図を示す。基地局３５１０は、リレー３５２０を介してダウンリンク上で１つまたは複数のＵＥへの送信を送り得、またリレー３５２０を介してアップリンク上で１つまたは複数のＵＥからの送信を受信し得る。簡単のために、ＵＥ３５３０のみとの間で送信および受信される送信の処理について、以下で説明する。
【００３６】
基地局３５１０において、送信プロセッサ３５１０は、ＵＥ３５３０に送るべきデータのパケットを受信し得、選択された変調およびコーディング方式に従って各パケットを処理（たとえば、符号化および変調）してデータシンボルを取得し得る。ハイブリッド自動再送要求ＨＡＲＱの場合、プロセッサ３５１０は、各パケットの複数の送信を生成し得、一度に１つの送信を与え得る。プロセッサ３５１０はまた、制御情報を処理して制御シンボルを取得し、基準信号のための基準シンボルを生成し、データシンボル、制御シンボル、および基準シンボルを多重化し得る。プロセッサ３５１０はさらに、（たとえば、ＯＦＤＭなどのために）多重化されたシンボルを処理して出力サンプルを生成し得る。送信機（ＴＭＴＲ）３５１２は、出力サンプルを調整（たとえば、アナログ変換、増幅、フィルタ処理、およびアップコンバート）してダウンリンク信号を生成し得、そのダウンリンク信号はリレー３５２０とＵＥとに送信され得る。
【００３７】
リレー３５２０において、基地局３５１０からのダウンリンク信号が受信され、受信機（ＲＣＶＲ）３５３６に与えられ得る。受信機３５３６は、受信信号を調整（たとえば、フィルタ処理、増幅、ダウンコンバート、およびデジタル化）し、入力サンプルを与え得る。受信プロセッサ３５３８は、（たとえば、ＯＦＤＭなどのために）入力サンプルを処理して受信シンボルを取得し得る。プロセッサ３５３８はさらに、受信シンボルを処理（たとえば、復調および復号）して、ＵＥ３５３０に送られたデータと制御情報とを復元し得る。基地局３５１０はＵＥ３５３０のためのデータをリレー３５２０に送り得、次いで、そのデータはリレー３５２０によってＵＥ３５３０に送られ得る。言い換えれば、基地局３５１０は、データをＵＥ３５３０に常に直接送るとは限らない。送信プロセッサ３５３０は、基地局３５１０がデータシンボルと制御シンボルとを取得するのと同じ方法で、プロセッサ３５３８からの復元されたデータと制御情報とを処理（たとえば、符号化および変調）し得る。プロセッサ３５３０はまた、基準シンボルを生成し、データおよび制御シンボルを基準シンボルと多重化し、多重化されたシンボルを処理して出力サンプルを取得し得る。送信機３５３２は、出力サンプルを調整し、ダウンリンクリレー信号を生成し得、そのダウンリンクリレー信号はＵＥ３５３０に送信され得る。
【００３８】
ＵＥ３５３０において、基地局３５１０からのダウンリンク信号とリレー３５２０からのダウンリンクリレー信号とは、受信機３５５２によって受信および調整され、受信プロセッサ３５５４によって処理されて、ＵＥ３５３０に送られたデータと制御情報とを復元し得る。コントローラ／プロセッサ３５６０は、正しく復号されたパケットのためのＡＣＫ情報を生成し得る。アップリンク上で送られるべきデータと制御情報（たとえば、ＡＣＫ情報）とは、送信プロセッサ３５５６によって処理され、送信機３５５８によって調整されてアップリンク信号を生成し得、そのアップリンク信号はリレー３５２０に送信され得る。
【００３９】
リレー３５２０において、ＵＥ３５３０からのアップリンク信号は、受信機３５３６によって受信および調整され、受信プロセッサ１７３８によって処理されて、ＵＥ３５３０によって送られたデータと制御情報とを復元し得る。復元されたデータと制御情報とは、送信プロセッサ３５３０によって処理され、送信機３５３２によって調整されてアップリンクリレー信号を生成し得、そのアップリンクリレー信号は基地局３５１０に送信され得る。基地局３５１０において、リレー３５２０からのアップリンクリレー信号は、受信機３５１６によって受信および調整され、受信プロセッサ３５１８によって処理されて、リレー３５２０を介してＵＥ３５３０によって送られたデータと制御情報とを復元し得る。コントローラ／プロセッサ３５２０は、ＵＥ３５３０からの制御情報に基づいてデータの送信を制御し得る。
【００４０】
コントローラ／プロセッサ３５２０、３５４０および３５６０は、それぞれ基地局３５１０、リレー３５２０、およびＵＥ３５３０における動作を指示し得る。コントローラ／プロセッサ３５２０は、本明細書で説明する技法のプロセスを実行または指示し得る。コントローラ／プロセッサ３５４０は、本明細書で説明する技法のプロセスを実行または指示し得る。コントローラ／プロセッサ１７６０は、本明細書で説明する技法のプロセスを実行または指示し得る。メモリ１７２２、１７４２および１７６２は、それぞれ基地局３５１０、リレー３５２０、およびＵＥ３５３０のためのデータとプログラムコードとを記憶し得る。
【００４１】
Ｌｏｎｇ  Ｔｅｒｍ  Ｅｖｏｌｕｔｉｏｎ  Ａｄｖａｎｃｅｄ（ＬＴＥ−Ａ）では、チャネル状態情報基準信号（ＣＳＩ−ＲＳ）と呼ばれる新しい基準信号が導入されている。ＬＴＥ−Ａでは、ＣＳＩ−ＲＳは、チャネル測定のために、ならびに必要に応じてチャネル品質および空間特性のフィードバックを導出するために使用され得る。ＣＳＩ−ＲＳに基づくフィードバックは、シングルセルシングルユーザおよびマルチユーザＭＩＭＯ、ならびに協調マルチセル送信など、様々な送信モードのために使用され得る。ＣＳＩ−ＲＳパターンは異種ネットワークのために使用され得る。したがって、設計は、すべてのこれらの送信モードをサポートするためにＣＳＩ−ＲＳを利用し得る。いくつかの設計、たとえば、ＬＴＥ−Ａは、以下の特徴、すなわち、（１）ＣＳＩ−ＲＳが通常のサブフレームとマルチキャストブロードキャスト単一周波数ネットワーク（ＭＢＳＦＮ）サブフレームとの中のデータ領域をパンクチャし、（２）ＣＳＩ−ＲＳ構造が時間および周波数においてスパースであり、（３）ＣＳＩ−ＲＳ密度が２Ｔｘ、４Ｔｘ、および８Ｔｘモードについてアンテナポートごとにリソースブロック（ＲＢ）ごとに１リソース要素（ＲＥ）である（１ＲＥ／ＲＢ／アンテナポート）ということを示し得る。いくつかの設計では、ＣＳＩ−ＲＳ割振りパターンはセル固有であり得る。
【００４２】
いくつかの設計では、ＣＳＩ−ＲＳは、共通ＲＳ（ＣＲＳ：Common RS）を使用して８つの送信アンテナのチャネルを推定することに関連する困難により、８Ｔｘのために有利に使用され得る。いくつかの設計では、ＣＳＩ−ＲＳはまた、１Ｔｘ、２Ｔｘおよび４Ｔｘアンテナポート構成のために定義され、ＣＲＳアンテナポートの数を低減することを可能にし得る。たとえば、いくつかの設計では、２つのＣＲＳポートは４Ｔｘシステムと８Ｔｘシステムとのために使用され得る。ＬＴＥ−Ａ  ＵＥ１２０は、ＣＳＩのためにＣＳＩ−ＲＳを使用し得、データ復調のためにＵＥ固有ＲＳ（ＵＥ−ＲＳ）を使用し得るので、ＣＲＳの使用は制御と測定との目的に限定され得、２ＣＲＳ構成で十分であり得る。ＣＲＳの数の低減により、前にリリースされたＵＥ１２０の性能に影響を及ぼし得るが、（たとえば、異種ネットワークおよびリレーにおける）ＣＲＳの数が低減するにつれてより新しい（たとえば、ＬＴＥ−Ａ）システム設計をより容易にすることができ、ＬＴＥ−Ａ  ＵＥ１２０がユビキタスになるにつれてＬＴＥ−Ａ性能を改善することができる。一態様では、これにより、ＣＳＩ−ＲＳのためにより多くのＲＥを使用することも可能になる。
【００４３】
いくつかの設計では、あるセル中の、本明細書でＣＳＩ−ＲＳ  ＲＥと呼ばれる（ＣＳＩ−ＲＳ送信がミュートされ得るＲＥを含む）ＣＳＩ−ＲＳ送信に割り振られたＲＥは、そのセルのＣＲＳ  ＲＥに加えてＣＲＳが送信されるシンボルを回避し得る。そのようなＣＳＩ−ＲＳ構成は、同期ネットワークにおける近隣セルのＣＲＳとの衝突が回避されるだけでなく、ＣＲＳが電力ブーストされる場合、利用可能な電力が最大化され得るという利点を有する。いくつかの設計では、ＣＳＩ−ＲＳ  ＲＥパターンは物理ダウンリンク共有チャネル（ＰＤＳＣＨ）領域中にあり得る。いくつかの設計では、ＣＳＩ−ＲＳ  ＲＥのロケーションを制御領域サイズとは無関係にするために、最初の３つのＯＦＤＭシンボルが回避され得る。１．４ＭＨｚ  ＬＴＥシステムなど、いくつかの帯域幅制限された設計では、データ送信のための空間を作るために、第４のＯＦＤＭシンボルにおけるＣＳＩ−ＲＳが動的にドロップされる必要があり得る。いくつかの設計では、ＣＳＩ−ＲＳは、物理ブロードキャストチャネル（ＰＢＣＨ）および同期信号に割り振られたＲＥを回避することによって送信リソースを割り振られ得る。いくつかの設計では、ＣＳＩ−ＲＳ  ＲＥは、ＵＥ−ＲＳ送信に割り振られたＲＥを回避することによって選択され得る。たとえば、いくつかの設計では、ＣＳＩ−ＲＳ  ＲＥパターンはＬＴＥ  Ｒｅｌｅａｓｅ  ９／１０  ＵＥ−ＲＳパターンと重複し得ない。
【００４４】
いくつかの設計では、アンテナポート５ＵＥ−ＲＳシンボル（送信モード７）を含んでいるＯＦＤＭシンボルは、ＣＳＩ−ＲＳ送信がＵＥ−ＲＳの電力ブースティングを可能にするために使用されないことがある。いくつかの設計では、列挙された可能なＣＳＩ−ＲＳリソースの大きいセットがデバイスに利用可能にされ得、特定の展開では、いくつかのサブセットがＣＳＩ−ＲＳ送信のために選択され得る。ＣＳＩ−ＲＳ送信のために「アンテナポート５」ＯＦＤＭシンボルを使用しないように構成された展開は、単にセットから他のＣＳＩ−ＲＳリソースを選択することによってそのように実行し得る。
【００４５】
上記で説明したように、いくつかの設計では、ＣＳＩ−ＲＳ周波数密度は、すべての場合２Ｔｘ、４Ｔｘおよび８Ｔｘについて１ＲＥ／ＲＢ／アンテナポートであり得る。一態様では、この密度は、データパンクチャリングによるレガシーＵＥ１２０への影響を最小限に抑えるのに十分低くなり得るが、同時に、この密度は、チャネル状態情報目的のために十分なチャネル推定品質を与えるのに十分高くなり得る。ＣＳＩ−ＲＳを有しないＲＢの数を増加させるためにＲＢにわたってＣＳＩ−ＲＳリソースパターンをサブサンプリングすること（たとえば、いくつかのＲＢ中の密度を増加させながら他のＲＢからそれらを除去すること）は可能であり得るが、ＲＢにわたって一様なパターンを維持することが有利であり得る。一態様では、サブサンプリングは必ずしも性能の改善をもたらすとは限らないので、いくつかのＲＢ上のＣＳＩ−ＲＳの密度の増加により、そのようなＲＢにおけるレガシーＵＥ１２０に対するデータ送信性能の損失が経験され得る。一態様では、ＲＢにわたる一様なパターンは、チャネル推定を簡略化し得、より実装フレンドリーであり得る。
【００４６】
いくつかの設計では、ＣＳＩ−ＲＳパターンのデューティサイクルは、値の制限されたセット、たとえば、｛５，１０，２０｝ｍｓに（半）静的方法で構成可能であり得る。実際の構成された値は、上位レイヤシグナリングを通してＬＴＥ−Ａ  ＵＥ１２０に搬送され得る。いくつかの設計では、ＣＳＩ−ＲＳアンテナポートごとにデューティサイクルを定義するのとは反対に、セルにおいて定義されているすべてのＣＳＩ−ＲＳポートによって同じデューティサイクルが使用され得る。
【００４７】
いくつかの設計では、ＭＢＳＦＮサブフレームとユニキャストサブフレームとのために同じＣＳＩ−ＲＳパターンが使用され得る。いくつかの設計では、ＣＳＩ−ＲＳ  ＲＥロケーションおよびシーケンスは物理セルＩＤとＣＳＩ−ＲＳアンテナポートの数とに応じて変わり得る。いくつかの設計では、ＣＳＩ−ＲＳ  ＲＥロケーションは、ＣＳＩ−ＲＳアンテナポートの数と動作システム帯域幅とにも依存し得る、あらかじめ定義され列挙されたセットＣＳＩ−ＲＳパターンセットからのシグナリングされたインデックスで示され得る。
【００４８】
いくつかの設計では、同じセルの異なるアンテナポートに割り振られたＣＳＩ−ＲＳリソースパターンは（たとえば、周波数領域多重化または時間領域多重化を使用して）直交多重化され得る。ＣＳＩ−ＲＳ  ＲＥ上で電力を完全に利用するために、いくつかの設計では、ＣＳＩ−ＲＳを含んでいる各ＯＦＤＭシンボルはすべてのアンテナポートのＣＳＩ−ＲＳをも含み得ることが保証され得る。いくつかの設計では、チャネル推定を簡略化するために、任意のアンテナポートのＣＳＩ−ＲＳ  ＲＥロケーションは周波数が一様に離間され得る。いくつかの設計では、所与のアンテナポートのＣＳＩ−ＲＳ  ＲＥロケーションは、１つの所与のＯＦＤＭシンボル中で均等に離間されたサブキャリア上に配置され得る。
【００４９】
いくつかの設計では、同じセルの異なるアンテナポートのためのＣＳＩ−ＲＳ送信または異なるセルにわたるＣＳＩ−ＲＳ送信は、異なるセルのＣＳＩ−ＲＳの衝突レートを低減し、より多くのフレキシビリティを配置およびパターン設計に与えるために、異なるサブフレーム中で送信され得る。しかしながら、複数のサブフレーム中でレガシーＵＥ１２０のデータ領域をパンクチャするとより大きいシステム性能損失を招き得るので、いくつかの設計では、レガシーＵＥ１２０のデータ領域をパンクチャする影響は、ｅＮＢ１１０が最小数のサブフレームの周囲にレガシーＵＥ１２０をスケジュールすることができるようにそれらのサブフレームに制限され得る。
【００５０】
複数のセルまたは異なるサブフレーム中の異なるアンテナポートからのＣＳＩ−ＲＳを測定するためにＵＥ１２０はウェイクアップデューティサイクルの増加を経験し得、それによってバッテリー寿命の低減がもたらされ得るので、いくつかのサブフレームにわたってＣＳＩ−ＲＳ送信を拡散することはＤＲＸモード動作に影響を及ぼし得ることが諒解されよう。いくつかの設計では、ＣＳＩ−ＲＳに基づくフィードバックの計算は、計算が複数のサブフレームにわたって行われ得るので、より複雑になり得る。計算負担を軽減するために、いくつかの設計では、異なるセルからのＣＳＩ−ＲＳ送信は、ＣＳＩ−ＲＳサブフレームと呼ばれる限られた数のサブフレームに制限され得る。ＣＳＩ−ＲＳサブフレームの数は、異なるセル上の所望のＣＳＩ−ＲＳ衝突レートに基づくことができる。いくつかの設計では、無線フレーム内にＰＢＣＨ、同期信号またはページングを含むサブフレームは、ＣＳＩ−ＲＳサブフレームセット、すなわち、周波数領域複信（ＦＤＤ）モードにおけるサブフレーム｛０，４，５，９｝から除外され得る。
【００５１】
上記で説明したおよび他の理由に基づいて、ならびに所与のＲＢ中で多数のアンテナポートが多重化され得るので、いくつかの設計では、１つのセルのためのすべてのＣＳＩ−ＲＳ  ＲＥが同じサブフレーム中にあり得、セル上のＣＳＩ−ＲＳ  ＲＥが同期ネットワークにおいて数個のサブフレームに制限され得る。実装を簡略化するために、いくつかの設計では、フレーム構造２中の特殊サブフレームはＣＳＩ−ＲＳを搬送するために使用されないことがある。制御シンボルの数は特殊サブフレーム中の２つに制限され、第３のシンボルは１次同期信号（ＰＳＳ：primary synchronization signal）を搬送し、したがってＣＳＩ−ＲＳ送信から除外されるので、ＣＳＩ−ＲＳを最初の３つのＯＦＤＭシンボル後に適合させることは依然として可能であり得ることを諒解されよう。
【００５２】
いくつかの設計では、ＣＳＩ−ＲＳパターンは経時的にホッピングするように選択され得る。従来のシステムでは、基準信号送信に割り振られたＲＥは経時的に静的であるかまたは非ホッピングである。したがって、２つの近隣セルのＣＲＳ送信が１つのサブフレーム中で衝突した場合、それらのＣＲＳ送信は、ＣＲＳが送信されるすべてのサブフレーム中で衝突する。対照的に、サブフレーム内のＣＳＩ−ＲＳ  ＲＥロケーションはある時間期間にわたってホッピングされ得る。ホッピング動作は、異種ネットワークにおいて、たとえば、（部分装荷シナリオにおいて有益である）干渉を推定することと、異なるセルのＣＳＩ−ＲＳ送信にわたって衝突のランダム化を保証することとのために有益であり得る。それは、支配的干渉物セルとのＣＳＩ−ＲＳ衝突の状況において特に重要である。様々な設計において、ホッピングパターンは、システム時間、アンテナポートインデックス、物理セルＩＤなどに応じて選択され得る。いくつかの設計では、所与のＣＳＩ−ＲＳアンテナポートには、そのＣＳＩ−ＲＳポートが存在する各サブフレーム中の異なるＲＥが割り当てられ得る。いくつかの設計では、ホッピング関数は、同じセルのＣＳＩ−ＲＳポート上の直交性が維持され得るように選択され得る。
【００５３】
いくつかの設計では、複数のサブフレームがＣＳＩ−ＲＳ送信のために割り振られ、各セルのＣＳＩ−ＲＳが１つまたは少数のサブフレーム中に含まれているとき、衝突レートをなお一層低減するために、セルのＣＳＩ−ＲＳアンテナポートを含んでいるサブフレームは経時的にＣＳＩ−ＲＳサブフレームセット内でホッピングされ得る。たとえば、いくつかの設計では、デューティサイクル中のすべてのアンテナポートのためのすべてのＣＳＩ−ＲＳは、ＣＳＩ−ＲＳサブフレームセットから選択された１つのサブフレーム中に存在し得、このサブフレームのインデックスは、セルＩＤ、ＣＳＩ−ＲＳアンテナポートの数、ＣＳＩ−ＲＳサブフレームの数、およびシステム時間のうちの１つまたは複数に応じて経時的にホッピングし得る。一態様では、異なるセルのＣＳＩ−ＲＳは経時的に異なるサブフレーム中に存在し得るので、そのような手法は衝突レートを低減し得ることを諒解されよう。同時に、レガシーＵＥ１２０に対する悪影響は最小数のサブフレームに制限され得る。さらに、フィードバック計算の計算複雑さも最小数のサブフレームに制限され得る。
【００５４】
協調マルチポイント（ＣｏＭＰ：coordinated multi-point）システムなど、いくつかの設計では、ジョイント送信の使用のために、ＵＥ１２０がそれのＣｏＭＰ測定セット内の多数のセルを監視することが必要となり得る。同様に、魅力的なセルエッジとスループットの平均利得とを確かめるために、ジョイント送信に多数のセルが関与する必要があり得る。ジョイント送信はＣＳＩ−ＲＳと重複するＲＥ上で行われ得ないので、そのようなジョイント送信に関与するセルの数がスケールアップするにつれて、ジョイント送信のために利用可能なＲＥの総数は制限され得る。したがって、いくつかの設計では、ジョイント送信が採用された場合、将来の広帯域ワイドエリアネットワーク（ＷＷＡＮ）展開において展開全体にわたるＣＳＩ−ＲＳパターンが有益であり得る。ホッピング生成プロセスにおけるセルＩＤの値が何らかの共通のデフォルト値によって置き換えられた場合、共通のＣＳＩ−ＲＳホッピングはセル固有ホッピングのフレームワーク内で容易に達成され得る。いくつかの設計では、特定のセルによって使用されるホッピングモードは、セルによってブロードキャストされる１ビット（半）静的パラメータであり得る。
【００５５】
図３は、ワイヤレス通信システムにおける２つの隣接するリソースブロックのためのリソースパターン３００のブロック図である。リソースパターン３００は２つのリソースブロック（ＲＢ）ごとに繰り返され得る。リソースパターン３００は、上記で説明したいくつかの設計原理に一致する。割り振られたＲＥは、アンテナポートのグループを表すアルファベット（ａ、ｂ、ｃ、ｄ、ｅ、ｆ、ｇ、ｈ、ｉ、ｊ、ｋおよびｌ）と、アンテナポートインデックスを表す数（１〜８）との２文字の組合せを使用して標示される。リソースパターン３００は、いくつかの設計では、ノーマルＣＰの場合、最高６つのセルのＣＳＩ−ＲＳを８ＣＳＩ−ＲＳアンテナポートの各々と直交多重化するために使用され得る。（各ｅＮＢ１１０は、６つのグループａ、ｃ、ｅ、ｆ、ｇおよびｋまたはｂ、ｄ、ｈ、ｉ、ｊおよびｌのうちの１つを使用する）。いくつかのＲＥは、ＣＳＩ−ＲＳの送信のために利用可能でないことがあることに留意されたい。これらのＲＥは、図３では塗りつぶされた正方形でマークされている。利用不可能なＲＥには、たとえば、ＣＳＩ−ＲＳのために使用されないＯＦＤＭシンボル（たとえば、前に説明したような、サブフレームの最初の３つのＯＦＤＭシンボル）中にあり得るＲＥ３０２がある。利用不可能なＲＥにはまた、図３中でアルファベット「Ｃ」でマークされたセル固有共通基準信号（ＣＲＳ：common reference signal）に割り振られたＲＥ３０４、および図３中でアルファベット「Ｕ」でマークされたユーザ機器基準信号（ＵＥ−ＲＳ：user equipment reference signal）に割り振られたＲＥ３０８がある。ＲＥ３０６など、いくつかのＲＥはＣＳＩ−ＲＳのために使用され得ない。ＣＳＩ−ＲＳの完全電力ブースティングを可能にするために、アンテナポート割当ての一部はＲＢ上で変化する（たとえば、ｃ１、ｃ５およびｄ５、ｄ１およびｋ１、ｋ５およびｌ５、ｌ１とマークされたＲＥ上のロケーション）。リソースパターン３００は、各アンテナポートのＣＳＩ−ＲＳのために１ＲＥ／ＲＢのリソース密度が使用されると仮定する。
【００５６】
図４に、８ＣＳＩ−ＲＳアンテナポートを用いたｅＮＢ１１０のためのマッピングが、４ＣＳＩ−ＲＳアンテナポートを用いてｅＮＢ１１０のためにどのように分割され得るかの一例を与えるリソースパターン４００を示す。いくつかの設計では、チャネルの時間変動を考慮しないチャネル推定アルゴリズムを用いた良好な性能を可能にするために、１つのアンテナポートのＣＳＩ−ＲＳを搬送するＲＥは同じＯＦＤＭシンボルまたは近隣ＯＦＤＭシンボルのいずれかの上で選択され得る。いくつかの設計では、４ＣＳＩ−ＲＳアンテナポートの場合、パターンはＲＢにわたって変化しないことがある。また、８ＣＳＩ−ＲＳアンテナポートのために使用されないいくつかのＲＥは、４ＣＳＩ−ＲＳアンテナポートを用いてｅＮＢ１１０のために使用され得る。２ＣＳＩ−ＲＳアンテナポートへの分割は同様の様式で行われ得る。
【００５７】
図５に、完全電力利用を可能にするためのＲＢ上のＲＥロケーション変化の上記で説明した特徴を強調している、３つの連続するＲＢのためのリソースパターン５００を示す。ＲＥ５０２、５０４および５０６に関して示すように、ＣＳＩ−ＲＳの完全電力ブースティングを可能にするためにＲＢ上でアンテナポート割当てを変化させる上記で説明した特徴が示されている。アンテナポートインデックス「１」の位置が、ＲＥ５０２からＲＥ５０４に変化し、サブフレーム内でＲＥ５０２と同じ時間周波数位置を占有するＲＥ５０６に戻ることがわかるであろう。
【００５８】
また、一態様では、各アンテナポートインデックスに割り振られたＲＥパターンは、４または８ＣＳＩ−ＲＳアンテナポートが定義されているときはシンボル上の４つのＲＥの倍数が削除され、２以上のＣＳＩ−ＲＳアンテナポートが定義されている場合はシンボル上の２つのＲＥの倍数が削除されるように選択されることに留意されよう。一態様では、ＲＥ割振りのこの性質により、ペアになっていないＲＥに対処する必要なしに空間周波数ブロックコーディング／周波数切替え送信ダイバーシティ（ＳＦＢＣ−ＦＳＴＤ：space frequency block coding / frequency switched transmit diversity）およびＳＦＢＣコーディングとともに使用されたときにＣＳＩ−ＲＳ  ＲＥの周りのレートマッチングが可能になる。また、レガシーＵＥ１２０の性能の観点から、図３、図４および図５に示すＲＥ割振りパターンは、ＣＳＩ−ＲＳによるパンクチャリングによって影響を受けるＳＦＢＣペアの数が最小限に抑えられるので有利であり得る。
【００５９】
図６に、最後のシンボル６０２中のＲＥのＳＦＢＣペアリングを示すリソース割当て６００を示す。図示のように、ＲＥ６０４はＣＳＩ−ＲＳに割り当てられないことがあるが、データ送信のためのＳＦＢＣペアを形成するために使用され得る。リソースパターン選択の同様の方法は、その関係する部分が参照により本明細書に組み込まれる、２０１１年２月２２日に出願された「Channel State Information Reference Signals」と題する同時係属米国特許出願第１３／０３２，５９２号にも記載されている。
【００６０】
ワイヤレス通信ネットワークにおけるリレーデバイスの前に説明した動作を参照すると、いくつかの設計では、理由の中でも、帯域内リレーバックホールがすべての８Ｔｘアンテナを利用することを可能にするために、ＣＳＩ−ＲＳはバックホールサブフレームのためにも指定され得る。ｅＮＢの観点から、ＵＥ１２０への送信のために使用されるＣＳＩ−ＲＳ構成（ＲＥパターン）は、概して、リレーデバイス１３０への送信のために使用されるＣＳＩ−ＲＳ  ＲＥパターンとは異なり得ることを諒解されよう。いくつかの設計では、ＣＳＩ−ＲＳは、サブフレームの異なるセット（標準またはリレーバックホールサブフレーム）中でＵＥ１２０におよびリレーデバイス１３０に送信され得る。したがって、いくつかの設計では、以下でより詳細に説明するように、リレーバックホール展開に固有のＣＳＩ−ＲＳ  ＲＥパターンが利用され得る。
【００６１】
いくつかの設計では、リレーバックホール送信のために使用されるサブフレームは、ｅＮＢ１１０とリレーデバイス１３０との間でネゴシエートされ得、長い時間期間にわたって変更可能であり得る。前に説明したように、リレーデバイス１３０によってＣＳＩ−ＲＳがその中で送信されるすべてのサブフレームがリレーデバイスのアクセスサブフレーム中にあるような、ＣＳＩ−ＲＳリソースパターンがリレーデバイス１３０において選択され得る。同様に、ｅＮＢ１１０において、ＣＳＩ−ＲＳがその中で送信され得るサブフレームの少なくとも一部がリレーデバイス１３０のリレーバックホールサブフレーム中にあるような、ＣＳＩ−ＲＳパターンが選択され得る。
【００６２】
図７および図８を参照すると、リレーデバイスへの送信のためにワイヤレスネットワークにおいてＣＳＩ−ＲＳを使用するための２つのリソースパターン割当て７００および８００が示されている。簡単のために、図７および図８にはＵＥ−ＲＳ割当ての特定のパターンが示されている。しかしながら、本技術は、図７および図８に示す特定のＵＥ−ＲＳパターンに限定されない。リソースパターン７００および８００は、ノーマルＣＰおよび標準サブフレームの使用を仮定する。図７はリレータイミング事例１を仮定するが、図８はリレータイミング事例３を仮定する。リソースパターン７００とリソースパターン８００とを比較すると、サブフレーム中の最後の２つのシンボルの使用を回避することによってリソースパターン８００におけるＵＥ−ＲＳ信号の送信が「プルイン（pull in）」されるという点で、１つの差異が強調される。リレーデバイス１３０はサブフレーム境界上でアクセスリンク／リレーリンク動作の間で切り替わり得るので、リレーデバイス１３０がサブフレーム中の最後の１つまたは２つのシンボルを受信しそこなうことが起こり得る。したがって、いくつかの設計では、リソースパターン８００はリレーバックホール送信のために使用され得る。
【００６３】
図７において、標準ダウンリンク（ＤＬ）サブフレームにおける（リレーデバイスが切替え中に最後のシンボルをドロップしないであろう）タイミング事例１では、サブフレーム中の利用可能なＣＳＩ−ＲＳ  ＲＥは、図３〜図６に示すものと同様である。したがって、図３〜図６に関して説明したＣＳＩ−ＲＳ構成のうちの１つはリレーデバイスへの送信のために使用され得る。図８は、（リレーデバイスが切替え中に最後の少数のＯＦＤＭシンボルをドロップし得る）タイミング事例３のための標準ＤＬサブフレームのために使用され得る可能なＵＥ−ＲＳパターンを示している。
【００６４】
概して、ＵＥ−ＲＳなど、データ復調のために有用な基準信号と、将来のワイヤレスシステムに導入され得る基準信号との共存は、バックホールリレーサブフレームに適用され得る以下のオプション、すなわち、（１）ＣＳＩ−ＲＳ  ＲＥがＵＥ−ＲＳ  ＲＥと衝突しないようにＣＳＩ−ＲＳ  ＲＥを制限すること、（２）ＣＳＩ−ＲＳ  ＲＥと衝突しないようにＵＥ−ＲＳパターンを制限すること、または（３）ＵＥ−ＲＳを使用することを回避し、たとえば、ＣＳＩ−ＲＳを含んでいるサブフレーム上で他の基準信号（たとえば、共通基準信号）を使用すること、または（４）より低いランクのＵＥ−ＲＳパターンとＣＳＩ−ＲＳとが衝突しないようにＣＳＩ−ＲＳサブフレーム上のＵＥ−ＲＳベースの送信を用いて送信ランクを制限することのうちの１つまたは複数を使用して管理され得る。
【００６５】
リレーバックホールは計画展開であり得るが、リレー機能を実行するリレーデバイスはｅＮＢ１１０のカバレージエリア中のどこにでもあり得る。ただし、典型的なリレーバックホール構成では、リレーデバイスはｅＮＢ１１０との良好なチャネル（たとえば、見通し線）を有し得る。したがって、典型的なリレーバックホール展開では、プリコーディング、ＭＵ−ＭＩＭＯ、アグリゲーションレベルなどの最適化オプションが使用され得る。いくつかの設計では、リレーデバイス１３０と（ドナーｅＮＢ１１０と呼ばれることがある）マクロｅＮＢ１１０とがサブフレーム整合された場合、リレー１３０は最初の少数のＯＦＤＭシンボル上でＣＲＳを送信するように要求され得、標準ＰＤＣＣＨは、最初のＯＦＤＭシンボルから開始するドナーｅＮＢ１１０によって送信され得るので、リレー１３０は標準ＰＤＣＣＨを受信することが不可能であり得る。Ｒ−ＰＤＣＣＨと呼ばれる、新しい物理ダウンリンク制御チャネルは、データ領域中でＲＥを使用するリレーバックホールのために使用され得る。ＣＳＩ−ＲＳ  ＲＥとＲ−ＰＤＣＣＨの両方を含んでいるサブフレーム上で、ＣＳＩ−ＲＳに影響を及ぼすことを回避するために、Ｒ−ＰＤＣＣＨはパンクチャされるかまたはＣＳＩ−ＲＳの周りでレートマッチングされ得る。Ｒ−ＰＤＣＣＨのパンクチャリングは、詳細には以下のように処理されるべきであることに留意されたい。いくつかの設計では、したがって、Ｒ−ＰＤＣＣＨ送信はＣＳＩ−ＲＳ  ＲＥの周りでレートマッチングされ得る。概して、Ｒ−ＰＤＣＣＨ送信は、ＣＳＩ−ＲＳ送信を用いたサブフレームとＣＳＩ−ＲＳ送信を用いないサブフレームとにおいて実行され得、したがって、Ｒ−ＰＤＣＣＨのために使用される制御データＲＥは、ＣＳＩ−ＲＳを用いたサブフレームとＣＳＩ−ＲＳを用いないサブフレームとで異なり得る。
【００６６】
図９および図１０を参照すると、リレーデバイスについて、タイミング事例３のために使用され得るリソースパターン９００および１０００が開示されている。図９および図１０は、それぞれ８Ｔｘアンテナ構成および４Ｔｘアンテナ構成のためのＣＳＩ−ＲＳ  ＲＥを示している。図示のリソースパターン９００は、タイミング事例３のためにリレーバックホールサブフレームにおいてノーマルサイクリックプレフィックス（ＣＰ：cyclic prefix）を用いたＣＳＩ−ＲＳのために使用され得る。図示のリソースパターン９００は２つのサブフレームごとに繰り返され得る。図９、および図１０からわかるように、いくつかのシンボル（たとえば、図示のリソースパターン９００および１０００中の最後のシンボル）はＣＳＩ−ＲＳ送信のために使用されないことがある。一態様では、したがって、リレーデバイス１３０は、ＣＳＩ−ＲＳ送信を失うことなしに、アクセスリンク／バックホールリンク間で切り替わるための十分な時間を備え得る。たとえば、あるワイヤレスデバイスがネットワークに入ったとき、ｅＮＢ１１０はワイヤレスデバイスのタイミングタイプ（たとえば、デバイスがＵＥであるかまたはリレーデバイスであるか、およびリレーデバイスが切替え中にシンボル受信を失い得るかどうかなどを示す、タイミング事例１を使用すべきかまたはタイミング事例３を使用すべきか）を判断し得る。いくつかの設計では、ＵＥまたはリレーデバイスは、それ自体を識別するメッセージをｅＮＢ１１０に送信し得る。判断されたタイミングタイプに基づいて、ＣＳＩ−ＲＳ送信は、ＣＳＩ−ＲＳがデバイスに送信されるべきサブフレーム中のシンボルのサブセットに制限され得る（たとえば、図９および図１０に示すバックホールサブフレームに制限され得る）。
【００６７】
概して、ＵＥアクセスのためのパターンタイプ、およびリレーノードバックホールのためのパターンタイプという、２つの異なるパターンタイプを定義する必要がないことがある。代わりに、いくつかの設計では、上記で説明したように、すべてのＣＳＩ−ＲＳリソースを列挙するパターンの「スーパーセット」が定義され得る。上記で説明したＣＳＩ−ＲＳ構成のいくつかは同じＲＥパターンを含み、それらは列挙において二重カウントされ得ない。
【００６８】
いくつかの展開では、同じサブフレームが、（ＦＤＭ様式で）マクロｅＮＢ１１０へのＵＥアクセスとリレーバックホールとのために使用され得ることも起こり得る。タイミング事例３が使用されたとき、いくつかの設計では、前に記載されたパターンの間で共通であるＣＳＩ−ＲＳリソースのみが使用され得る。
【００６９】
最も制限的な事例では、展開が、アンテナポート５ＵＥ−ＲＳを含んでいるシンボルを回避するように構成され、同じサブフレーム中でバックホールとアクセスの両方が使用されたとき、シンボル＃５およびシンボル＃１０（すなわち、第６および第１１のシンボル）中のＣＳＩ−ＲＳリソースが組み合わされて８Ｔｘ事例のための単一のリソースを形成し得る。そのような設計では、１倍のＣＳＩ−ＲＳ再利用のみが８Ｔｘのために可能であり得、２倍の再利用が４Ｔｘのために可能であり得る。
【００７０】
図１１に、ＣＳＩ−ＲＳに割り振られたＲＥが、８Ｔｘのために上記のように制限されたリソースパターン１１００を示す。リソースパターン１１００に示すＣＳＩ−ＲＳ  ＲＥは、ノーマルＣＰサブフレーム中のＣＳＩ−ＲＳ送信のために使用され得る。一態様では、リソースパターン１１００はアンテナポート５シンボルの使用を回避することを諒解されよう。別の態様では、所与のアンテナポートのためのＲＥは、リソースパターン１１００中のシンボル間のロケーションをホッピングする。小文字「ｕ」でマークされたＲＥ３１０は、レガシー規格、たとえば、ＬＴＥのリリース８のためのＵＥ−ＲＳ  ＲＥに対応し得る。
【００７１】
図１２Ａに、ＣＳＩ−ＲＳに割り振られたＲＥが、４Ｔｘ構成のために上記で説明したように制限されたリソースパターン１２００を示す。リソースパターン１１００と同様に、図示のリソースパターン１２００は、アンテナポートインデックス５シンボル中のＣＳＩ−ＲＳ送信を回避することによって、ノーマルＣＰを用いた４Ｔｘ  ＣＳＩ−ＲＳ送信のために使用され得る。パターン１２００は、４Ｔｘのための図１０に示すパターン１０００のサブセットであることに留意されよう。
【００７２】
図１２Ｂに、所与のアンテナポートに割り振られたＣＳＩ−ＲＳ  ＲＥがサブフレーム中の同じＯＦＤＭシンボル内に配置されたリソースパターン１２５０を示す。図１１に示すリソースパターン１１００の場合、アンテナポートに対応するＲＥは非隣接ＯＦＤＭシンボルに入れられる。これは、高速フーリエ変換（ＦＦＴ）ベースのチャネル推定処理を用いた高ドップラーシナリオにおいて問題を生じ得る。一態様では、図１２Ｂに示すパターン１２５０は、高ドップラーシナリオにおけるチャネル推定処理に関連するこの問題を緩和し得る。
【００７３】
本開示で説明するすべてのＣＳＩ−ＲＳ  ＲＥパターンを含む完全なＣＳＩ−ＲＳリソースセットは、ＵＥパターンのセット（すなわち、ＵＥ１２０への送信のために使用され得るＣＳＩ−ＲＳパターン）と、リレーパターンの別のセット（すなわち、リレーデバイス１３０への送信のために使用され得るＣＳＩ−ＲＳパターン）とを含み得ることに留意されたい。ＵＥパターンとリレーパターンとの一部は、「衝突する」パターン、すなわち、それらのＲＥ割振りを考察すると部分的または完全に重複するパターンであり得る。動作中、ネットワーク展開は、同じｅＮＢ１１０によって同じサブフレーム中で部分的に衝突しているエントリが構成されていないことを確認し得る。たとえば、所与のアンテナポートインデックスのためのＵＥ１２０へのＣＳＩ−ＲＳ送信のために割り振られたリソースパターンは、異なるアンテナポートインデックスのためのリレーへのＣＳＩ−ＲＳ送信のために割り振られたリソースパターンと重複し得ない。
【００７４】
異種ネットワーク（ＨｅｔＮｅｔ）展開では、様々なｅＮＢ１１０は、互いの基準信号送信からの干渉が最小限に抑えられるようにＣＳＩ−ＲＳおよび他の基準信号の送信を協調させ得る。チャネル品質情報（ＣＱＩ）を報告するために、ＵＥ１２０およびリレーデバイス１３０は、チャネル品質を測定し、また他の近隣ｅＮＢ１１０からの干渉を測定し得る。
【００７５】
いくつかの動作シナリオの下では、ＣＱＩ報告のために干渉測定のＣＳＩ−ＲＳを使用することは、ＣＳＩ−ＲＳの密度の低さおよび近隣セルのＣＳＩ−ＲＳのミューティングにより最適でないことがある。ミューティングを用いて、近隣セルｅＮＢ１１０は、ＵＥ１１０のサービングセルのためのＣＳＩ−ＲＳ  ＲＥに対応するＲＥをミュートし、それによって、近隣ｅＮＢ１１０が信号を実際に送信しているときに近隣セルによって生じた干渉をＵＥ１１０に測定させなくさせ得る。
【００７６】
したがって、いくつかの設計では、ＣＱＩ報告は、別の基準信号、たとえば、ＣＲＳを使用して推定された干渉に基づき得る。いくつかの設計では、ＣＲＳは、すべての通常のサブフレーム上で利用可能であり得、ＣＳＩ−ＲＳよりも高い密度を有し得る。したがって、ＣＳＩ−ＲＳがＭＢＳＦＮサブフレーム上で送信されるときでも、干渉推定値は第１のＯＦＤＭシンボル上のＣＲＳから取得され得る（ただし、制御負荷およびＰＤＳＣＨ負荷は同じでないことがある）。いくつかの設計では、前のサブフレームからの干渉推定値が使用され得る。したがって、ＨｅｔＮｅｔのコンテキストでは、データトーン上で予想される干渉と同様であることが予想される、ＣＲＳ上で推定された干渉は、ＣＱＩ報告目的のために十分な精度を与え得る。
【００７７】
（たとえば、図３３に示す）ＨｅｔＮｅｔ展開では、異なるｅＮＢ３３１０、３３１２からのＣＳＩ−ＲＳ送信が（たとえば、ミューティングを使用して）直交化されない場合、別のｅＮＢからの干渉信号の存在によりＣＱＩフィードバックのためのチャネルを推定することが困難であり得る。異なるセルからのＣＳＩ−ＲＳがデータと同様の方法で直交化される展開では、ＣＳＩ−ＲＳはデータと同じ干渉を受けるので、干渉推定のためにＣＳＩ−ＲＳを使用することが可能であり得る。同様に、ＣＲＳベースの干渉推定は、干渉推定がどのリソース（サブフレーム）中で行われるべきかがＵＥ１２０に通知されるときにも可能であり得る。
【００７８】
図１３に、マクロｅＮＢ３３１０とピコｅＮＢ３３１２とが時間領域における区分によって送信を協調させる、（たとえば、図３３に示す）ＨｅｔＮｅｔ展開におけるサブフレーム区分を示す。サブフレームシーケンス１３０２はマクロサブフレーム配列を表し得、サブフレーム１３０６は、マクロセルにおける送信のためにマクロｅＮＢ３３１０によって使用され得、サブフレーム１３０８は、ピコｅＮＢ３３１２が使用するためにマクロｅＮＢ３３１０によってクリアなままにされ得る（すなわち、データ送信なし、場合によっては、いくつかの制御信号が送信され得る）。
【００７９】
前に説明したように、いくつかの設計では、ＣＲＳは干渉推定のために使用され得る。マクロセルとピコセルとのために使用されるＣＲＳパターンが衝突しない設計では、ピコセル中のＣＲＳ送信がマクロセル中のデータ送信と衝突し得る。ＵＥ１１０が（時間がマクロサブフレーム１３０６に一致する）ピコサブフレーム１３１６中でピコチャネル品質を測定した場合、ＵＥ１２０は高い干渉を測定し得るが、（時間がクリアマクロサブフレーム１３０８に一致する）ピコサブフレーム１３１８中では、ＵＥ１２０は、マクロｅＮＢ３３１０から低い干渉を測定し得ることが諒解されよう。いくつかの設計では、したがって、ＵＥ１２０は、（サブフレーム１３１８中で測定された）「良好な」ＣＱＩと、（サブフレーム１３１６中で測定された）「不良な」ＣＱＩとをピコｅＮＢ３３１２に報告し得る。また、マクロＣＲＳとピコＣＲＳとが互いに衝突した場合、あらゆるサブフレームにおいて、ＵＥ１２０は、マクロセル中のＣＲＳからの干渉によりピコセル中で「不良な」ＣＱＩを測定し得ることを諒解されたい。
【００８０】
ＣＳＩ−ＲＳが干渉推定のために使用される設計では、マクロｅＮＢ３３１０がピコセル３３０４のためのＣＳＩ−ＲＳ  ＲＥに対応するマクロセル中のデータ送信をもミュートしたとき、ピコセル３３０４中でＵＥ１２０によって測定される干渉は、（マクロｅＮＢ３３１０からの干渉送信が存在しないので）常に「良好な」ＣＱＩになり得る。一方、マクロｅＮＢ３３１０が、ピコのＣＳＩ−ＲＳに対応するＲＥをミュートしない場合、ＵＥ１２０は、マクロ信号からの干渉によりピコセル中で常に「不良な」ＣＱＩを報告し得る。
【００８１】
上記説明に基づいて、ＣＳＩ−ＲＳを使用した干渉推定は、「良好な」ＣＱＩ推定値または「不良な」ＣＱＩ推定値のいずれかを常に与え得るが、ＣＲＳを使用した干渉推定は、特に干渉推定のためにどのサブフレームが使用されるべきかについてＵＥ１２０に通知されるとき、いくつかのサブフレームでは「良好な」ＣＱＩ推定値を与え、いくつかの他のフレームでは「不良な」ＣＱＩ推定値を与え得ることがわかるであろう。したがって、いくつかの設計では、ＣＲＳ（または上記で説明した完全重複／非重複の性質を示す別の基準信号）は干渉推定のために使用され得、ＣＳＩ−ＲＳはチャネル推定のために使用され得る。前に説明したように、ＣＳＩ−ＲＳは８Ｔｘアンテナ構成のために送信され得、ＣＲＳは１つまたは２つのアンテナに制限され得、それによってＣＳＩ−ＲＳをチャネル推定のためにより好適にし得る。
【００８２】
したがって、いくつかの設計では、２つの異なる基準信号がＵＥ１２０によってチャネル状態情報生成のために使用され得、第１の基準信号は干渉推定のため、および第２の基準信号はチャネル推定のためのものであり得る。さらに、第１の基準信号は、サブフレームの第１のセット（たとえば、ピコサブフレーム１３１８）中で送信され、使用され得、第２の基準信号は、サブフレームの第２のセット（たとえば、他の送信サブフレーム）中で送信され、使用され得る。前に説明したように、ｅＮＢ１１０はＣＳＩ−ＲＳ構成（たとえば、送信の周期性、サブフレームオフセットなど）を選択し得る。いくつかの設計では、ＣＳＩ−ＲＳ構成は、ｅＮＢ１１０がどれくらいの頻度で特定のＵＥ１２０からのフィードバックを受信することを望むかに基づいて選択され得る。いくつかの設計では、ＣＳＩ−ＲＳ構成は、ＵＥ１２０がチャネルおよび／または干渉の時間変化を追跡するのをｅＮＢ１１０がどれくらい正確に希望するかに基づいて、ｅＮＢ１１０によって選択され得る。したがって、チャネル推定のための第２の基準信号を搬送する、サブフレームの第２のセットは、少なくとも上記で説明した考慮事項に基づいて、ｅＮＢ１１０によって選択され得る。
【００８３】
マクロｅＮＢとピコｅＮＢとに関与する上記で説明したＨｅｔＮｅｔシナリオは、限定するものではなく、説明を簡単にするために使用したものにすぎないことに留意されよう。上記で説明した技法は、２つのｅＮＢからの送信が衝突し得る他の設計に適用され得ることを当業者ならば諒解されよう。
【００８４】
図１４〜図２９、図３１および図３２を参照すると、ワイヤレス通信環境においてチャネル状態情報基準信号を利用することに関係する方法が示されている。説明を簡単にするために、方法を一連の行為として図示し説明するが、いくつかの行為は、１つまたは複数の実施形態によれば、本明細書で図示し説明する順序とは異なる順序で、および／または他の行為と同時に行われ得るので、方法は行為の順序によって限定されないことを理解および諒解されたい。たとえば、方法は、状態図など、一連の相互に関係する状態またはイベントとして代替的に表現され得ることを、当業者は理解し、諒解するであろう。さらに、１つまたは複数の実施形態による方法を実装するために、図示のすべての行為が必要とされるとは限らない。
【００８５】
図１４は、ワイヤレス通信のプロセス１４００のフローチャートである。ボックス１４０２において、ワイヤレスデバイスをリレーデバイスであるとして識別する。ボックス１４０４において、少なくとも１つのチャネル状態情報基準信号（ＣＳＩ−ＲＳ）が、リレーバックホール送信に割り当てられたサブフレームのサブセット中でワイヤレスデバイスに送信され得るような、ＣＳＩ−ＲＳ構成を選択する。いくつかの設計では、ワイヤレスデバイスのタイミングタイプを判断し得、その判断に基づいて、ＣＳＩ−ＲＳ送信がその中でワイヤレスデバイスに送信されるサブフレームのシンボルのサブセットにＣＳＩ−ＲＳ送信を制限し得る。たとえば、制限は、シンボルのサブセットがサブフレーム中の最後のシンボルまたは最後の２つのシンボルを除外し得るようなものであり得る。いくつかの設計では、ＣＳＩ−ＲＳ構成の選択は、ＣＳＩ−ＲＳに割り当てられたＲＥが、データ復調を助けるための基準信号に割り当てられたＲＥと重複しないように実行され得る。一態様では、基準信号は、前に説明したように、ＵＥ−ＲＳまたはＤＭ−ＲＳであり得る。いくつかの設計では、選択はさらに、ミュートされたＲＥに割り当てられたリソース要素（ＲＥ）が、データ復調を助けるための基準信号に割り当てられたＲＥと重複しないようなＣＳＩ−ＲＳ構成を選択することを含み得る。
【００８６】
図１５は、ワイヤレス通信装置１５００の一部分のブロック図である。モジュール１５０２は、ワイヤレスデバイスをリレーデバイスであるとして識別するためのモジュールである。モジュール１５０４は、少なくとも１つのチャネル状態情報基準信号（ＣＳＩ−ＲＳ）が、リレーバックホール送信に割り当てられたサブフレームのサブセット中でワイヤレスデバイスに送信され得るような、ＣＳＩ−ＲＳ構成を選択するためのモジュールである。装置１５００はさらに追加のモジュールを備え得、および／または、モジュール１５０２および１５０４はさらに、たとえば、プロセス１４００などに関して開示した、本明細書で開示する他の主題の技術を実装するように構成され得る。
【００８７】
図１６は、ワイヤレス通信のプロセス１６００のフローチャートである。ボックス１６０２において、基準信号の送信を除外するサブフレームの第１のセット中でリレーノードへのダウンリンク制御チャネル送信を実行する。ボックス１６０４において、基準信号に割り振られたＲＥの周りのレートマッチングによって、サブフレームの第２のセット中でリレーノードへのダウンリンク制御チャネル送信を実行する。制御チャネル送信は、前に説明したように、たとえば、Ｒ−ＰＤＣＣＨチャネルに対応し得る。
【００８８】
図１７は、ワイヤレス通信装置１７００の一部分のブロック図である。モジュール１７０２は、基準信号の送信を除外するサブフレームの第１のセット中でリレーノードへのダウンリンク制御チャネル送信を実行するためのモジュールである。モジュール１７０４は、基準信号に割り振られたリソース要素（ＲＥ）の周りのレートマッチングによって、サブフレームの第２のセット中でリレーノードへのダウンリンク制御チャネル送信を実行するためのモジュールである。装置１７００はさらに追加のモジュールを備え得、および／または、モジュール１７０２および１７０４はさらに、たとえば、プロセス１６００などに関して開示した、本明細書で開示する他の主題の技術を実装するように構成され得る。
【００８９】
図１８は、ワイヤレス通信プロセス１８００のフローチャートである。ボックス１８０２において、基準信号を送信するための第１のポートインデックスのための第１のリソースパターンを少なくとも１つのユーザ機器に割り振る。ボックス１８０４において、基準信号を送信するための第２のアンテナポートインデックスのための第２のリソースパターンを少なくとも１つのリレーノードに割り振る。第１のアンテナポートインデックスが第２のアンテナポートインデックスとは異なるとき、第２のリソースパターンは第１のリソースパターンと重複しない。いくつかの設計では、基準信号は、たとえば、ＣＳＩ−ＲＳであり得る。いくつかの設計では、基準信号は、ＣＳＩ−ＲＳ送信に割り当てられたＲＥと、ミュートされたＲＥとを含み得る。
【００９０】
図１９は、ワイヤレス通信装置１９００の一部分のブロック図である。モジュール１９０２は、基準信号を送信するための第１のアンテナポートインデックスのための第１のリソースパターンを少なくとも１つのユーザ機器に割り振るためのモジュールである。モジュール１９０４は、基準信号を送信するための第２のアンテナポートインデックスのための第２のリソースパターンを少なくとも１つのリレーノードに割り振るためのモジュールであって、第１のアンテナポートインデックスが第２のアンテナポートインデックスとは異なるとき、第２のリソースパターンが第１のリソースパターンと重複しない、割り振るためのモジュールである。装置１９００はさらに追加のモジュールを備え得、および／または、モジュール１９０２および１９０４はさらに、たとえば、プロセス１８００などに関して開示した、本明細書で開示する他の主題の技術を実装するように構成され得る。
【００９１】
図２０は、ワイヤレス通信のプロセス２０００のフローチャートである。ボックス２００２において、サブフレームの第１のセット中で干渉推定のための第１の基準信号を少なくとも１つのユーザ機器に送信する。ボックス２００４において、サブフレームの第２のセット中で第１の基準信号とは異なるチャネル推定のための第２の基準を送信する。基準信号は、電力レベル、スペクトル形状、スクランブルシーケンスなど、それらのＰＨＹ特性の意味において「異なり」得る。基準信号はまた、それらの意図された使用、たとえば、チャネル推定、干渉推定などの意味において「異なり」得る。いくつかの設計では、第１の基準信号は共通基準信号（ＣＲＳ）であり得る。いくつかの設計では、第２の基準信号はＣＳＩ−ＲＳであり得る。いくつかの設計では、サブフレームの第１のセットから、干渉推定がその中で行われるべきサブフレームを識別する情報をユーザ機器に与え得る。
【００９２】
図２１は、ワイヤレス通信装置２１００の一部分のブロック図である。モジュール２１０２は、サブフレームの第１のセット中で干渉推定のための第１の基準信号を少なくとも１つのユーザ機器（ＵＥ）に送信するためのモジュールである。モジュール２１０４は、サブフレームの第２のセット中で第１の基準信号とは異なるチャネル推定のための第２の基準信号を送信するためのモジュールである。装置２１００はさらに追加のモジュールを備え得、および／または、モジュール２１０２および２１０４はさらに、たとえば、プロセス２０００などに関して開示した、本明細書で開示する他の主題の技術を実装するように構成され得る。
【００９３】
図２２は、ワイヤレス通信のプロセス２２００のフローチャートである。ボックス２２０２において、ワイヤレスデバイスをリレーデバイスであるとして識別するメッセージを送信する。ボックス２２０４において、少なくとも１つのチャネル状態情報基準信号がリレーバックホール送信に割り当てられたサブフレームのサブセット中で受信されるようなＣＳＩ−ＲＳ構成において、ＣＳＩ−ＲＳを受信する。いくつかの設計では、ワイヤレスデバイスのタイミングタイプを識別するメッセージを送信し得、ＣＳＩ−ＲＳ送信をサブフレーム中で受信し得、ＣＳＩ−ＲＳ送信はシンボルのサブセットに制限される。たとえば、シンボルのサブセットは、サブフレーム中の最後のシンボル（または最後の２つのシンボル）を除外し得る。ＣＳＩ−ＲＳ構成は、ＣＳＩ−ＲＳに割り当てられたＲＥが、データ復調を助けるための基準信号（たとえば、ＵＥ−ＲＳ）に割り当てられたＲＥと重複し得ないようなものであり得る。ＣＳＩ−ＲＳ構成はさらに、データ復調を助けるための基準信号に割り当てられたＲＥと重複しない、ミュートされたＲＥに割り当てられたＲＥを含み得る。
【００９４】
図２３は、ワイヤレス通信デバイス２３００の一部分のブロック図である。モジュール２３０２は、ワイヤレスデバイスをリレーデバイスであるとして識別するメッセージを送信するためのモジュールである。モジュール２３０４は、少なくとも１つのチャネル状態情報基準信号（ＣＳＩ−ＲＳ）がリレーバックホール送信に割り当てられたサブフレームのサブセット中で受信されるようなＣＳＩ−ＲＳ構成において、ＣＳＩ−ＲＳを受信するためのモジュールである。装置２３００はさらに追加のモジュールを備え得、および／または、モジュール２３０２および２３０４はさらに、たとえば、プロセス２２００などに関して開示した、本明細書で開示する他の主題の技術を実装するように構成され得る。
【００９５】
図２４は、ワイヤレス通信のプロセス２４００のフローチャートである。ボックス２４０２において、基準信号の送信を除外するサブフレームの第１のセット中でダウンリンク制御チャネル送信を受信する。ボックス２４０４において、基準信号に割り振られたＲＥの周りのレートマッチングによって、サブフレームの第２のセット中でのダウンリンク制御チャネル送信を受信する。いくつかの設計では、基準信号は、ＣＳＩ−ＲＳと、ミュートされたＲＥとを含み得る。
【００９６】
図２５は、ワイヤレス通信装置２５００の一部分のブロック図である。モジュール２５０２は、基準信号の送信を除外するサブフレームの第１のセット中でダウンリンク制御チャネル送信を受信するために与えられる。モジュール２５０４は、基準信号に割り振られたリソース要素（ＲＥ）の周りのレートマッチングによって、サブフレームの第２のセット中でのダウンリンク制御チャネル送信を受信するために与えられる。装置２５００はさらに追加のモジュールを備え得、および／または、モジュール２５０２および２５０４はさらに、たとえば、プロセス２４００などに関して開示した、本明細書で開示する他の主題の技術を実装するように構成され得る。
【００９７】
図２６は、ワイヤレス通信のプロセス２６００のフローチャートである。ボックス２６０２において、サブフレームの第１のセット中で干渉推定のための第１の基準信号を受信する。ボックス２６０４において、サブフレームの第２のセット中で第１の基準信号とは異なるチャネル推定のための第２の基準信号を受信する。いくつかの設計では、サブフレームの第１のセットから、干渉推定がその中で行われるべきサブフレームを識別する情報を受信し得る。いくつかの設計では、第１の基準信号は共通基準信号（ＣＲＳ）であり得る。いくつかの設計では、第２の基準信号はチャネル状態情報基準信号（ＣＳＩ−ＲＳ）であり得る。
【００９８】
図２７は、ワイヤレス通信装置２７００の一部分のブロック図である。モジュール２７０２は、サブフレームの第１のセット中で干渉推定のための第１の基準信号を受信するためのモジュールである。モジュール２７０４は、サブフレームの第２のセット中で第１の基準信号とは異なるチャネル推定のための第２の基準信号を受信するためのモジュールである。装置２７００はさらに追加のモジュールを備え得、および／または、モジュール２７０２および２７０４はさらに、たとえば、プロセス２６００などに関して開示した、本明細書で開示する他の主題の技術を実装するように構成され得る。
【００９９】
図２８は、ワイヤレス通信のプロセス２８００のフローチャートである。ボックス２８０２において、ワイヤレスデバイスをリレーデバイスであるとして識別するメッセージを送信する。ボックス２８０４において、ＣＳＩ−ＲＳがその中で受信されるすべてのサブフレームがリレーデバイスのためのアクセスサブフレーム中にあるような、ＣＳＩ−ＲＳリソースパターンを選択する。
【０１００】
図２９は、ワイヤレス通信デバイス２９００の一部分のブロック図である。モジュール２９２は、ワイヤレスデバイスをリレーデバイスであるとして識別するメッセージを送信するためのモジュールである。モジュール２９０４は、チャネル状態情報基準信号（ＣＳＩ−ＲＳ）がその中で受信されるすべてのサブフレームがリレーデバイスのためのアクセスサブフレーム中にあるような、ＣＳＩ−ＲＳリソースパターンを選択するためのモジュールである。装置２９００はさらに追加のモジュールを備え得、および／または、モジュール２９０２および２９０４はさらに、たとえば、プロセス２８００などに関して開示した、本明細書で開示する他の主題の技術を実装するように構成され得る。
【０１０１】
図３０は、ワイヤレス通信環境においてチャネル状態情報基準信号（ＣＳＩ−ＲＳ）を利用することを実現する例示的なシステム３００を示す。システム３０００は、情報、信号、データ、命令、コマンド、ビット、シンボルなどを送信および／または受信することができる基地局３００２を含む。基地局３００２は、順方向リンクおよび／または逆方向リンクを介してユーザ機器（ＵＥ）３００４と通信することができる。ＵＥ３００４は、情報、信号、データ、命令、コマンド、ビット、シンボルなどを送信および／または受信することができる。さらに、図示されていないが、基地局３００２と同様の任意の数の基地局がシステム３０００中に含まれ得、および／またはＵＥ３００４と同様の任意の数のＵＥがシステム３０００中に含まれ得ることが企図される。
【０１０２】
基地局３００２は、リソース判断構成要素３００６、パターン選択構成要素３００８、基準信号送信構成要素３０１０、メモリ３０１２および／またはプロセッサ３０１４をさらに含むことができる。リソース判断構成要素３００６は、たとえば、ＣＳＩ−ＲＳシンボルを搬送するために利用可能なリソースブロックのいくつかのリソース要素（ＲＥ）を識別することができる。ＣＳＩ−ＲＳは、ＵＥ３００４などのＵＥが、ダウンリンクチャネルを推定し、ダウンリンクチャネルに関するフィードバック情報を送ることを可能にする信号である。一態様では、ＣＳＩ−ＲＳは、シングルユーザ多入力多出力（ＳＵ−ＭＩＭＯ）、マルチユーザＭＩＭＯ（ＭＵ−ＭＩＭＯ）、および／または多地点協調（ＣｏＭＰ）に関連するフィードバックをサポートし、生成するために利用され得る。
【０１０３】
ＬＴＥ  Ｒｅｌｅａｓｅ  ８  ＵＥ（たとえば、レガシーＵＥ）とのインターオペラビリティを維持するために、リソース判断構成要素３００６は、ＣＳＩ−ＲＳシンボルの配置に関する１つまたは複数の制限を考慮することができる。一態様では、ＣＳＩ−ＲＳシンボルは、（セル固有基準信号とも呼ばれる）共通基準信号（ＣＲＳ）シンボル、ならびに一般にＣＲＳシンボルのために採用されるリソース要素を回避するように配置され得る。別の態様では、ＣＳＩ−ＲＳシンボルは、制御シンボルのために利用され得る、サブフレームの最初の３つのシンボルを回避することができる。さらに、リソース判断構成要素３００６は、データ復調のためのチャネルを推定する際にＵＥを支援するために、基地局３００２によっていくつかの送信モードでＵＥ３００４などのＵＥに送信されるＵＥ固有基準信号または復調基準信号（ＵＥ−ＲＳまたはＤＭ−ＲＳ）を考慮することができる。そのような考慮の後に、リソース判断構成要素３００６は、ＣＳＩ−ＲＳシンボルが配置され得る利用可能なリソース要素のセットを識別する。
【０１０４】
別の態様では、リソース判断構成要素３００６は、リソース要素を利用可能なリソース要素のセットから直交グループに区分することができ、各グループは、サポートされる最大数のアンテナのために十分なリソース要素を含む。たとえば、基地局３００２が最高８つの送信アンテナをサポートすることができる場合、リソース要素のグループは８つのリソース要素を含むことができる。さらに、各グループ中の各リソース要素は、異なるアンテナポートにマッピングされ得る。一例に従って、図３に、グループへのリソース要素の１つの可能な区分を示す。別の例に従って、図４に、基地局３００２が４つの送信アンテナをサポートするときのリソース要素の別の可能な区分を示す。リレーバックホールワイヤレスリンクでは、図９および図１０に、それぞれ、８つの送信アンテナおよび４つの送信アンテナのための例示的なＣＳＩ−ＲＳ設計を示す。
【０１０５】
パターン選択構成要素３００８は、ＣＳＩ−ＲＳシンボルの送信のために利用すべき１つのグループを選択することができる。一例では、グループは、サブフレームインデックス、無線フレームインデックス、セルＩＤなどに基づいて選択され得る。基準信号送信構成要素３０１０は、パターン選択構成要素３０８によって選択されたパターン（たとえば、グループ）に従ってＣＳＩ−ＲＳシンボルを配置することができる。その後、サブフレームは、ＵＥ３００４ならびに他のＵＥ（図示せず）に送信され得る。
【０１０６】
ＵＥ３００４は、受信構成要素３０１６、推定構成要素３０１８、フィードバック構成要素３０２０、メモリ３０２２、および／またはプロセッサ３０２４を含むことができる。一態様では、受信構成要素は、（たとえば、ＣｏＭＰ構成において）基地局３００２とＵＥ３００４をサービスする任意の他の基地局とから、ＣＳＩ−ＲＳシンボルを含む１つまたは複数のサブフレームを受信することができる。推定構成要素３０１８は、チャネル推定値を生成するために、ＣＳＩ−ＲＳシンボルを採用することができる。フィードバック構成要素３０２０は、フィードバック情報を基地局３００２に与えるためにチャネル推定値を利用することができる。
【０１０７】
基地局３００２はメモリ３０１２とプロセッサ３０１４とをさらに含むことができ、ＵＥ３００４はメモリ３０２２とプロセッサ３０２４とをさらに含むことができる。メモリ３０１２およびメモリ３０２２は、送信されるべきデータと、受信されたデータと、本明細書に記載する様々な動作および機能を実行することに関係する任意の他の好適な情報とを記憶することができる。本明細書で説明するデータストア（たとえばメモリ３０１２、メモリ３０２２、．．．）は、揮発性メモリまたは不揮発性メモリであり得るか、あるいは揮発性メモリと不揮発性メモリの両方を含むことができることを諒解されたい。主題のシステムおよび方法のメモリ３０１２およびメモリ３０２２は、これらおよび他の適切なタイプのメモリを、それらに限定されることなく、備えるものとする。さらに、メモリ３０１２はプロセッサ３０１４に動作可能に結合され得、メモリ３０２２はプロセッサ３０２４に動作可能に結合され得る。プロセッサ３０１４は、基地局３００２によって受信された情報を分析し、および／または基地局３００２によって送信するための情報を生成することができ、プロセッサ３０２４はＵＥ３００４によって受信された情報を分析し、および／またはＵＥ３００４によって送信するための情報を生成することができる。さらに、プロセッサ３０１４は基地局３００２の１つまたは複数の構成要素を制御することができ、プロセッサ３０２４はＵＥ３００４の１つまたは複数の構成要素を制御することができる。
【０１０８】
図３１〜図３２を参照すると、ワイヤレス通信環境においてチャネル状態情報基準信号を利用することに関係する方法が示されている。説明を簡単にするために、方法を一連の行為として図示し説明するが、いくつかの行為は、１つまたは複数の実施形態によれば、本明細書で図示し説明する順序とは異なる順序で、および／または他の行為と同時に行われ得るので、方法は行為の順序によって限定されないことを理解および諒解されたい。たとえば、方法は、状態図など、一連の相互に関係する状態またはイベントとして代替的に表現され得ることを、当業者は理解し、諒解するであろう。さらに、１つまたは複数の実施形態による方法を実装するために、図示のすべての行為が必要とされるとは限らない。
【０１０９】
図３１を参照すると、ワイヤレス通信環境においてチャネル状態情報基準信号を送信することを可能にする方法３１００が示されている。３１０２において、複数のパターンからチャネル状態情報基準信号（ＣＳＩ−ＲＳ）パターンを選択する。複数のパターンは、ＣＳＩ−ＲＳシンボルのために利用可能ないくつかのリソース要素と、影響を及ぼされる空間周波数ブロックコーディング（ＳＦＢＣ）リソース要素ペアの数を最小限に抑える１つまたは複数の直交グルーピングとに基づいて識別され得る。３１０４において、１つまたは複数のＣＳＩ−ＲＳシンボルを選択パターンに従って送信する。
【０１１０】
図３２を参照すると、ワイヤレス通信環境においてチャネル状態情報基準信号を受信することを可能にする方法３２００が示されている。３２０２において、少なくとも１つの基地局からＣＳＩ−ＲＳシンボルを受信する。３２０４において、ＣＳＩ−ＲＳシンボルに少なくとも部分的に基づいてチャネル推定値を生成する。３２０６において、チャネル推定値に従って判断されたフィードバック情報を送信する。
【０１１１】
ワイヤレスネットワークにおいてＣＳＩ−ＲＳを使用するためのいくつかの異なる方法および装置を開示したことを諒解されよう。一態様では、８Ｔｘアンテナ構成に加えて、２Ｔｘおよび４Ｔｘアンテナ構成のためのＣＳＩ−ＲＳをサポートし、ＬＴＥ−Ａ性能を最適化するために、セルによって広告されるＣＲＳポートの数を低減することを可能にするＣＳＩ−ＲＳ  ＲＥパターンが開示される。
【０１１２】
さらに、いくつかの開示する設計では、ＣＳＩ−ＲＳは、ＣＲＳシンボルと、最初の３つのＯＦＤＭシンボルと、Ｒｅｌ１０  ＵＥ−ＲＳ  ＲＥと、ＰＢＣＨおよび同期信号とを回避する。さらに、いくつかの設計では、ＣＳＩ−ＲＳリソースのサブセットを使用するようにＥ−ＵＴＲＡＮを構成することによって、Ｒｅｌ８  ＵＥ−ＲＳを含むシンボルが回避され得る。
【０１１３】
また、ＣＳＩ−ＲＳ  ＲＥパターンは、セル固有であり得、アンテナポートの数と、システム時間と、物理セルＩＤとに依存し得るか、または代替として、ＣＳＩ−ＲＳアンテナポートの数とシステム帯域幅とにも依存し得る、あらかじめ定義され、列挙されたセットＣＳＩ−ＲＳパターンセットからのシグナリングされたインデックスで示され得ることが開示される。
【０１１４】
いくつかの開示する設計では、すべてのセルのすべてのＣＳＩ−ＲＳが１つのサブフレーム中に配置される。しかし、異なるセルのＣＳＩ−ＲＳは、異なるサブフレーム中に配置され得、有利には、より良好なリソース再利用を可能にする。ＣＳＩ−ＲＳ  ＲＥパターンのデューティサイクルは、値の限定されたセット、たとえば｛５，１０，２０｝ｍｓから半静的に構成され得る。
【０１１５】
いくつかの開示する設計では、ＣＳＩ−ＲＳ送信はページングを可能にされるサブフレームを回避する。いくつかの開示する設計では、ＣＳＩ−ＲＳ送信は、フレーム構造タイプ２の場合の特殊なサブフレームを回避する。いくつかの開示する設計では、同じセルのアンテナポートのＣＳＩ−ＲＳがＴＤＭ／ＦＤＭ方式で直交多重化される。いくつかの開示する設計では、セルのアンテナポートのＣＳＩ−ＲＳは、１つのＯＦＤＭシンボル中で周波数が均等に離間され得る。
【０１１６】
いくつかの開示する設計では、異なるセルの異なるアンテナポートのサブフレーム内のＣＳＩ−ＲＳパターンが時間的にホッピングし得ることがさらに諒解されよう。ホッピングは、物理セルＩＤと、アンテナポートインデックスと、システム時間とに依存し得る。複数のサブフレームが使用された場合、セルのＣＳＩ−ＲＳは１つまたは少数のサブフレーム中にあり得、ＣＳＩ−ＲＳを含んでいるサブフレームは、ＣＳＩ−ＲＳサブフレームセット内で経時的にホッピングし得る。いくつかの開示する設計では、ネットワークにおける緊密なＣＳＩ−ＲＳ再利用協調を可能にするために、ホッピングが無効化され得る。
【０１１７】
一方はチャネル推定のため、他方は干渉推定のための２つの異なる基準信号の使用が開示されたことも諒解されよう。いくつかの開示する設計では、干渉推定を実行するサブフレームのユーザ機器識別情報を基地局が通知し得る。
【０１１８】
開示したプロセス中のステップの特定の順序または階層は、例示的な手法の一例であることを理解されたい。設計上の選好に基づいて、プロセス中のステップの特定の順序または階層は本開示の範囲内のまま再構成され得ることを理解されたい。添付の方法クレームは、様々なステップの要素を例示的な順序で提示したものであり、提示された特定の順序または階層に限定されるものではない。
【０１１９】
情報および信号は様々な異なる技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１２０】
「例示的」という単語は、本明細書では、例、事例、または例示の働きをすることを意味するために使用する。「例示的」として本明細書で説明するいかなる態様または設計も、必ずしも他の態様または設計よりも好ましいまたは有利なものと解釈すべきではない。
【０１２１】
本明細書で開示する実施形態（たとえば、送信機、受信機、割当器（assigner）、確立器（establisher）、データレートマッチャ（data rate matcher）、データパンクチャラ（data puncturer）、計算器、情報受信機、データ受信機など）に関して説明する様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明する機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【０１２２】
１つまたは複数の例示的な実施形態では、説明した機能は、ハードウェア、ソフトウェア、ファームウェア、またはそれらの任意の組合せで実装され得る。ソフトウェアで実装した場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【０１２３】
開示する実施形態の前述の説明は、当業者が本開示を実施または使用できるようにするために与えたものである。これらの実施形態への様々な修正は当業者には容易に明らかであり、本明細書で定義した一般原理は、本開示の趣旨または範囲から逸脱することなく他の実施形態に適用され得る。したがって、本開示は、本明細書で示した実施形態に限定されるものではなく、本明細書で開示した原理および新規の特徴に一致する最も広い範囲を与られるべきである。
【０１２４】
上記で説明した例示的なシステムに鑑みて、開示した主題に従って実装できる方法について、いくつかの流れ図を参照しながら説明した。説明を簡単にするために、方法を一連のブロックとして図示および説明したが、いくつかのブロックは本明細書で図示および説明したブロックとは異なる順序で、および／または他のブロックと同時に、行うことができるので、主張する主題はブロックの順序によって限定されないことを理解および諒解されたい。さらに、本明細書で説明する方法を実装するために、図示されたすべてのブロックが必要とされるとは限らない。さらに、本明細書で開示した方法は、そのような方法をコンピュータに移送および転送することを可能にするために製造品に記憶することが可能であることをさらに諒解されたい。本明細書で使用する製造品という用語は、任意のコンピュータ可読デバイス、キャリア、または媒体からアクセス可能なコンピュータプログラムを包含するものとする。
【図１】
2013530604.tif 000003
【図２】
2013530604.tif 000004
【図３】
2013530604.tif 000005
【図４】
2013530604.tif 000006
【図５】
2013530604.tif 000007
【図６】
2013530604.tif 000008
【図７】
2013530604.tif 000009
【図８】
2013530604.tif 000010
【図９】
2013530604.tif 000011
【図１０】
2013530604.tif 000012
【図１１】
2013530604.tif 000013
【図１２Ａ】
2013530604.tif 000014
【図１２Ｂ】
2013530604.tif 000015
【図１３】
2013530604.tif 000016
【図１４】
2013530604.tif 000017
【図１５】
2013530604.tif 000018
【図１６】
2013530604.tif 000019
【図１７】
2013530604.tif 000020
【図１８】
2013530604.tif 000021
【図１９】
2013530604.tif 000022
【図２０】
2013530604.tif 000023
【図２１】
2013530604.tif 000024
【図２２】
2013530604.tif 000025
【図２３】
2013530604.tif 000026
【図２４】
2013530604.tif 000027
【図２５】
2013530604.tif 000028
【図２６】
2013530604.tif 000029
【図２７】
2013530604.tif 000030
【図２８】
2013530604.tif 000031
【図２９】
2013530604.tif 000032
【図３０】
2013530604.tif 000033
【図３１】
2013530604.tif 000034
【図３２】
2013530604.tif 000035
【図３３】
2013530604.tif 000036
【図３４】
2013530604.tif 000037
【図３５】
2013530604.tif 000038
【国際調査報告】
2013530604.tif 000039
2013530604.tif 000040
2013530604.tif 000041
2013530604.tif 000042
2013530604.tif 000043